(57)【要約】  本発明は、無線通信方法、基地局及び端末を提供する。方法は、基地局が端末に構成通知情報を送信し、端末に、少なくとも１個の無線フレームを第一サブフレームの構成に符合する第一無線フレームとして構成するように通知することを含み、第一サブフレームの構成に符合する第一無線フレームは、N-1個の下りサブフレーム、１個の特殊サブフレーム及びゼロ個の上りサブフレームを含む。他の方法は、端末に第三無線フレーム構成情報を送信し、端末に第二動的サブフレーム指示情報を送信し、少なくとも１個の第四無線フレームを第三サブフレームの構成に符合する第六無線フレームとして構成し、又は、第四サブフレームの構成に符合する第七無線フレームとして構成し、或いは、少なくとも１個の第五無線フレームを第四サブフレームの構成に符合する第七無線フレームとして構成するように通知することを含み、第六無線フレームは、ゼロ個の下りサブフレーム、ゼロ個の特殊サブフレーム及びN個の上りサブフレームを含み、第七無線フレームは、ゼロ個の下りサブフレーム、１個の特殊サブフレーム及びN-1個の上りサブフレームを含む。
2015523785.tif 000002
【特許請求の範囲】
【請求項１】
無線通信方法であって、
基地局が端末に構成通知情報を送信することであって、前記構成通知情報は、前記端末に、第一無線フレームを第一サブフレームの構成に符合するように構成することを通知し、そのうち、前記第一サブフレームの構成に符合する前記第一無線フレームは、N-1個の下りサブフレーム、１個の特殊サブフレーム及びゼロ個の上りサブフレームを含み、Nは、１個の無線フレームが含むサブフレームの総数であり、且つ、Nは、１個の1よりも大きい自然数である、こと；及び
前記第一無線フレーム上で、前記基地局が前記第一サブフレームの構成を採用して前記端末と通信を行うことを含む、方法。
【請求項２】
請求項1に記載の方法であって、
前記基地局が端末に構成通知情報を送信することは、
前記基地局が前記端末に第一無線フレーム構成情報を送信することであって、前記第一無線フレーム構成情報は、前記端末に、第三無線フレームをn個下りサブフレーム及びN-n個の動的サブフレームを含むように構成し、又は、ｎ-1個の下りサブフレーム、１個の特殊サブフレーム及びN-n個の動的サブフレームを含むように構成することを通知し、そのうち、ｎは、Nよりも小さい自然数である、こと；及び
前記基地局が前記端末に第一動的サブフレーム指示情報を送信することであって、前記第一動的サブフレーム指示情報は、前記端末に、前記第三無線フレーム上の各動的サブフレームの伝送方向を指示し、前記第三無線フレーム構成を、前記第一サブフレームの構成に符合するように構成させるために用いられる、ことを含む、方法。
【請求項３】
請求項1又は2に記載の方法であって、
前記第一無線フレーム上で、前記基地局が前記第一サブフレームの構成を採用して前記端末と通信を行うことは、
前記第一無線フレーム上で、前記基地局が前記特殊サブフレーム中の上りパイロットタイムスロットによって、前記端末により送信された上り制御情報及び／又は上りデータを受信することであって、前記上り制御情報は、上り応答情報、スケジューリング要求及びチャネル状態情報のうちの少なくとも１種を含む、こと；及び/又は
前記第一無線フレーム上で、前記基地局が前記特殊サブフレーム中のGP中のリソースによって、前記端末にリスニング信号を送信し、又は、前記端末により送信されたリスニング信号を受信することを含む、方法。
【請求項４】
請求項3に記載の方法であって、
前記基地局が前記特殊サブフレーム中の上りパイロットタイムスロットによって、前記上り制御情報を受信するために使用するチャネルは、時間領域上で１個のOFDMOFDMシンボルを占用し、周波数領域上で１個又は複数のリソースブロックユニットを占用し、そのうち、前記１個又は複数のリソースブロックユニットのうちの各リソースブロックユニットは、１個の変調シンボルを伝送し、前記各リソースブロックユニットは、１個又は複数の連続のリソースブロックを含む、方法。
【請求項５】
請求項1、2、3又は4に記載の方法であって、
前記第一無線フレーム中の特殊サブフレームは、下りパイロットタイムスロットDwPTS、GP及び上りパイロットタイムスロットUpPTSを含み、前記上りパイロットタイムスロットの長さは、前記特殊サブフレームの長さの半分であり、或いは、前記第一無線フレーム中の特殊サブフレームのタイムスロット長さの少なくとも１種の構成は、表３に規定の特殊サブフレームのタイムスロットの長さに符合し、
【表３】
2015523785.tif 000005
表３中のDwPTSの長さ及びUpPTSの長さは、OFDMシンボル数により表され、GPの長さは、前記特殊サブフレームの長さから、前記DwPTSの長さと前記UpPTSの長さとの和を引いた長さである、方法。
【請求項６】
請求項1乃至4中の任意の１項に記載の方法であって、
前記基地局が端末に構成通知情報を送信する前に、前記方法は更に、
前記方法がLTE  TDDシステムに用いられ且つN＝10である場合、前記基地局が端末に第二無線フレーム構成情報を送信することであって、前記第二無線フレーム構成情報は、前記端末に、第二無線フレームを第二サブフレームの構成に符合するように構成することを通知し、前記第二サブフレームの構成に符合する前記第二無線フレームは、N-2個の下りサブフレーム、１個の特殊サブフレーム及び１個の上りサブフレームを含み、そのうち、時間上では、前記第一無線フレーム中の特殊サブフレームと、第二無線フレーム中の上りサブフレームとが対応し、前記第一無線フレーム中の特殊サブフレームの前の下りサブフレームと、前記第二無線フレーム中の特殊サブフレームとが対応する、ことを含む、方法。
【請求項７】
請求項6に記載の方法であって、
前記第二無線フレーム中の特殊サブフレームは、下りパイロットタイムスロットDwPTS、GP及び上りパイロットタイムスロットUpPTSを含み、前記第二無線フレーム中の特殊サブフレームのタイムスロットの長さは、表４に規定の特殊サブフレームのタイムスロットの長さの１つであり、前記第一無線フレーム中の特殊サブフレームの上りパイロットタイムスロットの長さは、前記特殊サブフレームの長さの半分であり、
【表４】
2015523785.tif 000006
表４中のDwPTSの長さ及びUpPTSの長さは、OFDMシンボル数により表され、GPの長さは、前記特殊サブフレームの長さから、前記DwPTSの長さと前記UpPTSの長さとの和を引いた長さである、方法。
【請求項８】
請求項6又は7に記載の方法であって、更に、
前記端末が第二サブフレームの構成を採用する場合、前記基地局は、前記第一無線フレーム上の特殊サブフレームの上りパイロットタイムスロットにより、前記端末が送信した上り信号を受信する、方法。
【請求項９】
無線通信方法であって、
端末が基地局により送信された構成通知情報を受信することであって、前記構成通知情報は、前記端末に、第一無線フレームを第一サブフレームの構成に符合するように構成することを通知するために用いられ、前記第一サブフレームの構成に符合する第一無線フレームは、N-1個の下りサブフレーム、１個の特殊サブフレーム及びゼロ個の上りサブフレームを含み、Nは、１個の無線フレームが含むサブフレームの総数であり、且つ、Nは、１個の1よりも大きい自然数である、こと；
前記端末が前記構成通知情報に基づいて、前記第一無線フレームを前記第一サブフレームの構成に符合するように構成すること；及び
前記第一無線フレーム上で、前記端末が前記第一サブフレームの構成を採用して前記基地局と通信を行うことを含む、方法。
【請求項１０】
請求項9に記載の方法であって、
前記端末が基地局により送信された構成通知情報を受信することは、
前記端末が前記基地局により送信された第一無線フレーム構成情報を受信することであって、前記第一無線フレーム構成情報は、前記端末に、第三無線フレーム構成をn個下りサブフレーム及びN-n個の動的サブフレームを含むように構成し、又は、ｎ-1個の下りサブフレーム、１個の特殊サブフレーム及びN-n個の動的サブフレームを含むように構成することを通知するために用いられ、そのうち、nは、Nよりも小さい自然数である、こと；及び
前記端末が前記基地局により送信された第一動的サブフレーム指示情報を受信することであって、前記第一動的サブフレーム指示情報は、前記端末に、前記第三無線フレーム上の各動的サブフレームの伝送方向を指示し、前記第三無線フレームを前記第一サブフレームの構成に符合するように構成させるために用いられる、ことを含む、方法。
【請求項１１】
請求項9又は10に記載の方法であって、
前記第一無線フレーム上で、前記端末が、前記第一サブフレームの構成を採用して前記基地局と通信を行うことは、
前記基地局が上り制御情報及び/又は上りデータを送信することであって、前記上り制御情報は、上り応答情報、スケジューリング要求及びチャネル状態情報のうちの少なくとも１種を含む、こと；及び／又は、
前記第一無線フレーム上で、前記特殊サブフレーム中のGP中のリソースにより、前記端末がリスニング信号を送信し又はリスニング信号を受信することを含む、方法。
【請求項１２】
請求項11に記載の方法であって、
前記端末が前記特殊サブフレーム中の前記上りパイロットタイムスロットによって、上り制御情報を送信するチャネルは、時間領域上で１個のOFDMシンボルを占用し、周波数領域上で１個又は複数のリソースブロックユニットを占用し、そのうち、前記１個又は複数のリソースブロックユニットのうちの各リソースブロックユニットは、１個の変調シンボルを伝送し、前記各リソースブロックユニットは、１個又は複数の連続のリソースブロックを含む、方法。
【請求項１３】
請求項9、10、11又は12に記載の方法であって、
前記第一無線フレーム中の特殊サブフレームは、下りパイロットタイムスロットDwPTS、GP及び上りパイロットタイムスロットUpPTSの３つの部分からなり、前記上りパイロットタイムスロットの長さは、前記特殊サブフレームの長さの半分であり、或いは、前記第一無線フレーム中の特殊サブフレームのタイムスロットの長さの少なくとも１種の構成は、表５に規定の特殊サブフレームのタイムスロット長さに符合し、
【表５】
2015523785.tif 000007
表５中のDwPTSの長さ及びUpPTSの長さは、OFDMシンボル数により表され、GPの長さは、前記特殊サブフレームの長さから、前記DwPTSの長さと、前記UpPTSの長さとの和を引いた長さである、方法。
【請求項１４】
請求項9乃至12中の任意の１項に記載の方法であって、
前記端末が基地局により送信された構成通知情報を受信する前に、前記方法は、更に、
前記方法がLTE  TDDシステムに用いられ且つN＝10である場合、前記端末が前記基地局により送信された第二無線フレーム構成情報を受信することであって、前記第二無線フレーム構成情報は、前記端末に、第二無線フレーム構成を第二サブフレームの構成に符合するように構成することを通知し、前記第二サブフレームの構成に符合する前記第二無線フレームは、N-2個の下りサブフレーム、１個の特殊サブフレーム及び１個の上りサブフレームを含み、そのうち、時間上では、前記第一無線フレーム中の特殊サブフレームと、第二無線フレーム中の上りサブフレームとが対応し、前記第一無線フレーム中の特殊サブフレームの前の下りサブフレームと、前記第二無線フレーム中の特殊サブフレームとが対応する、ことを含む、方法。
【請求項１５】
請求項14に記載の方法であって、
前記第二無線フレーム中の特殊サブフレームは、下りパイロットタイムスロットDwPTS、GP及び上りパイロットタイムスロットUpPTSを含み、前記第二無線フレーム中の特殊サブフレームタイムスロットの長さの構成は、表６に定義の特殊サブフレームのタイムスロットの長さの１つであり、前記第一無線フレーム中の特殊サブフレームの上りパイロットタイムスロットの長さは、前記特殊サブフレームの長さの半分であり、
【表６】
2015523785.tif 000008
表６中のDwPTSの長さ及びUpPTSの長さは、OFDMシンボル数により表され、GPの長さは、前記特殊サブフレームの長さから、前記DwPTSの長さと、前記UpPTSの長さとの和を引いた長さである、方法。
【請求項１６】
請求項14又は15に記載の方法であって、更に、
前記端末が第二サブフレームの構成を採用する場合、前記端末は、前記第一無線フレーム上の特殊サブフレームの上りパイロットタイムスロットにより、前記基地局に上り信号を送信する方法。
【請求項１７】
基地局であって、
端末に構成通知情報を送信するための送信モジュールであって、前記構成通知情報は、前記端末に、第一無線フレームを第一サブフレームの構成に符合するように構成することを通知するために用いられ、前記第一サブフレームの構成に符合する前記第一無線フレームは、N-1個の下りサブフレーム、１個の特殊サブフレーム及びゼロ個の上りサブフレームを含み、Nは、１個の無線フレームが含むサブフレームの総数であり、且つ、Nは、１個の1よりも大きい自然数である、送信モジュール；及び
前記第一無線フレーム上で、前記第一サブフレームの構成を採用して前記端末と通信を行うための通信モジュールを含む、基地局。
【請求項１８】
請求項17に記載の基地局であって、
前記送信モジュールは、具体的に、前記端末に、第一無線フレーム構成情報を送信するために用いられ、前記第一無線フレーム構成情報は、前記端末に、第三無線フレームをn個の下りサブフレーム及びN-n個の動的サブフレームを含むように構成し、又は、ｎ-1個の下りサブフレーム、１個の特殊サブフレーム及びN-n個の動的サブフレームを含むように構成することを通知するために用いられ、そのうち、ｎは、Nよりも小さい自然数であり、
前記送信モジュールは更に、具体的に、前記端末に、第一動的サブフレーム指示情報を送信するために用いられ、前記第一動的サブフレーム指示情報は、前記端末に、前記第三無線フレーム上の各動的サブフレームの伝送方向を指示し、前記第三無線フレームを前記第一サブフレームの構成に符合する第一無線フレームとして構成させるために用いられる、基地局。
【請求項１９】
請求項17又は18に記載の基地局であって、
前記通信モジュールは、具体的に、前記第一無線フレーム上で、前記特殊サブフレーム中の上りパイロットタイムスロットによって、前記端末が送信した上り制御情報及び/又は上りデータを受信するために用いられ、前記上り制御情報は、上り応答情報、スケジューリング要求及びチャネル状態情報のうちの少なくとも１種を含み、及び／又は
前記通信モジュールは、具体的に、前記第一無線フレーム上で、前記特殊サブフレーム中のGP中のリソースによって、リスニング信号を送信し又はリスニング信号を受信するために用いられる、基地局。
【請求項２０】
請求項19に記載の基地局であって、
前記通信モジュールが前記特殊サブフレーム中の上りパイロットタイムスロットによって、前記上り制御情報を受信するために使用するチャネルは、時間領域上で１個のOFDMシンボルを占用し、周波数領域上で１個又は複数のリソースブロックユニットを占用し、そのうち、前記１個又は複数のリソースブロックユニットのうちの各リソースブロックユニットは、１個の変調シンボルを伝送し、前記各リソースブロックユニットは、１個又は複数の連続のリソースブロックを含む、基地局。
【請求項２１】
請求項17乃至20中の任意の１項に記載の基地局であって、
前記通信モジュールが使用する前記第一無線フレーム中の特殊サブフレームは、下りパイロットタイムスロットDwPTS、GP及び上りパイロットタイムスロットUpPTSを含み、前記上りパイロットタイムスロットの長さは、前記特殊サブフレームの長さの半分であり、又は、前記第一無線フレーム中の特殊サブフレームのタイムスロットの長さの少なくとも１種の構成は、表７に規定の特殊サブフレームのタイムスロットの長さに符合し、
【表７】
2015523785.tif 000009
表７中のDwPTSの長さ及びUpPTSの長さは、OFDMシンボル数により表され、GPの長さは、前記特殊サブフレームの長さから、前記DwPTSの長さと、前記UpPTSの長さとの和を引いた長さである、基地局。
【請求項２２】
請求項17乃至20中の任意の１項に記載の基地局であって、
前記送信モジュールは更に、前記基地局がLTE  TDDシステムに用いられ且つN＝10である場合、前記端末に構成通知情報を送信する前に、前記端末に第二無線フレーム構成情報を送信するために用いられ、前記第二無線フレーム構成情報は、前記端末に、第二無線フレームを第二サブフレームの構成に符合するように構成することを通知するために用いられ、前記第二サブフレームの構成に符合する前記第二無線フレームは、N-2個の下りサブフレーム、１個の特殊サブフレーム及び１個の上りサブフレームを含み、そのうち、時間上では、前記第一無線フレーム中の特殊サブフレームと、第二無線フレーム中の上りサブフレームとが対応し、前記第一無線フレーム中の特殊サブフレームの前の下りサブフレームと、前記第二無線フレーム中の特殊サブフレームとが対応する、基地局。
【請求項２３】
請求項22に記載の基地局であって、
前記送信モジュールが通知する前記第二無線フレーム構成情報中では、前記第二無線フレーム中の特殊サブフレームは、下りパイロットタイムスロットDwPTS、GP及び上りパイロットタイムスロットUpPTSを含み、前記第二無線フレーム中の特殊サブフレームのタイムスロットの長さは、表８に規定の特殊サブフレームのタイムスロット長さの１つであり、前記第一無線フレーム中の特殊サブフレームの上りパイロットタイムスロットの長さは、前記特殊サブフレームの長さの半分であり、
【表８】
2015523785.tif 000010
表中のDwPTSの長さ及びUpPTSの長さは、OFDMシンボル数により表され、GPの長さは、前記特殊サブフレームの長さから、前記DwPTSの長さと、前記UpPTSとの長さの和を引いた長さである、基地局。
【請求項２４】
請求項22又は23に記載の基地局であって、
前記通信モジュールは、具体的に、前記端末が第二サブフレームの構成を採用する場合、前記第一無線フレーム上の特殊サブフレームの上りパイロットタイムスロットにより、前記端末送信の上り信号を受信するために用いられる、基地局。
【請求項２５】
端末であて、
基地局が送信した構成通知情報を受信するための受信モジュールであって、前記構成通知情報は、前記端末に、第一無線フレームを第一サブフレームの構成に符合するように構成することを通知するために用いられ、前記第一サブフレームの構成に符合する前記第一無線フレームは、N-1個の下りサブフレーム、１個の特殊サブフレーム及びゼロ個の上りサブフレームを含み、Nは、１個の無線フレームが含むサブフレームの総数であり、且つ、Nは、１個の1よりも大きい自然数である、受信モジュール；
前記受信モジュールが受信した前記構成通知情報に基づいて、前記第一無線フレームを第一サブフレームの構成に符合するように構成するための構成モジュール；及び
前記構成モジュールが構成した前記第一無線フレーム上で、前記第一サブフレームの構成を採用して前記基地局と通信を行うための通信モジュールを含む、端末。
【請求項２６】
請求項25に記載の端末であって、
前記受信モジュールは、具体的に、前記基地局が送信した第一無線フレーム構成情報を受信するために用いられ、前記第一無線フレーム構成情報は、前記端末に、第三無線フレームをn個の下りサブフレーム及びN-n個の動的サブフレームを含むように構成し、又は、ｎ-1個の下りサブフレーム、１個の特殊サブフレーム及びN-n個の動的サブフレームを含むように構成することを通知するために用いられ、そのうち、ｎは、Nよりも小さい自然数であり、
前記受信モジュールは更に、具体的に、前記基地局が送信した第一動的サブフレーム指示情報を受信するために用いられ、前記第一動的サブフレーム指示情報は、前記端末に、前記第三無線フレーム上の各動的サブフレームの伝送方向を指示し、前記第三無線フレームを前記第一サブフレームの構成に符合するように構成させるために用いられる、端末。
【請求項２７】
請求項25又は26に記載の端末であって、
前記通信モジュールは、具体的に、前記第一無線フレーム上で、前記特殊サブフレーム中の上りパイロットタイムスロットによって、前記基地局に上り制御情報及び／又は上りデータを送信するために用いられ、前記上り制御情報は、上り応答情報、スケジューリング要求及びチャネル状態情報のうちの少なくとも１種を含み、及び／又は、
前記通信モジュールは、具体的に、前記第一無線フレーム上で、前記特殊サブフレーム中のGP中のリソースによって、リスニング信号を送信し又はリスニング信号を受信するために用いられる、端末。
【請求項２８】
請求項27に記載の端末であって、
前記通信モジュールが前記特殊サブフレーム中の前記上りパイロットタイムスロットによって、上り制御情報を送信するために使用するチャネルは、時間領域上で１個のOFDMシンボルを占用し、周波数領域上で１個又は複数のリソースブロックユニットを占用し、そのうち、前記１個又は複数のリソースブロックユニットのうちの各リソースブロックユニットは、１個の変調シンボルを伝送し、前記各リソースブロックユニットは、１個又は複数の連続のリソースブロックを含む、端末。
【請求項２９】
請求項25乃至28中の任意の１項に記載の端末であって、
前記構成モジュールが構する前記第一無線フレーム中の特殊サブフレームは、下りパイロットタイムスロットDwPTS、GP及び上りパイロットタイムスロットUpPTSの３つの部分からなり、前記上りパイロットタイムスロットの長さは、前記特殊サブフレームの長さの半分であり、又は、前記第一無線フレーム中の特殊サブフレームのタイムスロットの長さの少なくとも１種の構成は、表９に規定の特殊サブフレームのタイムスロットの長さに符合し、
【表９】
2015523785.tif 000011
表９中のDwPTSの長さ及びUpPTSの長さは、OFDMシンボル数により表され、GPの長さは、前記特殊サブフレームの長さから、前記DwPTSの長さと前記UpPTSとの長さの和を引いた長さである、端末。
【請求項３０】
請求項25乃至28中の任意の１項に記載の端末であって、
前記受信モジュールは更に、具体的に、基地局が送信した構成通知情報を受信する前に、前記端末がLTE  TDDシステムに用いられ且つN＝10である場合、前記基地局が送信した第二無線フレーム構成情報を受信するために用いられ、前記第二無線フレーム構成情報は、前記端末に、第二無線フレームを第二サブフレームの構成に符合するように構成することを通知するために用いられ、前記第二サブフレームの構成に符合する前記第二無線フレームは、N-2個の下りサブフレーム、１個の特殊サブフレーム及び１個の上りサブフレームを含み、そのうち、時間上では、前記第一無線フレーム中の特殊サブフレームと、第二無線フレーム中の上りサブフレームとが対応し、前記第一無線フレーム中の特殊サブフレームの前の下りサブフレームと、前記第二無線フレーム中の特殊サブフレームとが対応する、端末。
【請求項３１】
請求項30に記載の端末であって、
前記受信モジュールが受信する前記第二無線フレーム構成情報中で、前記第二無線フレーム中の特殊サブフレームは、下りパイロットタイムスロットDwPTS、GP及び上りパイロットタイムスロットUpPTSを含み、前記第二無線フレーム中の特殊サブフレームタイムスロットの長さの構成は、表１０に定義の特殊サブフレームのタイムスロット長さの１つであり、前記第一無線フレーム中の特殊サブフレームの上りパイロットタイムスロットの長さは、前記特殊サブフレームの長さの半分であり、
【表１０】
2015523785.tif 000012
表１０中のDwPTSの長さ及びUpPTSの長さは、OFDMシンボル数により表され、GPの長さは、前記特殊サブフレームの長さから、前記DwPTSの長さと前記UpPTSの長さとの和の引いた長さである、端末。
【請求項３２】
請求項30又は31に記載の端末であって、
前記通信モジュールは更に、具体的に、前記端末が第二サブフレームの構成を採用する場合、前記第一無線フレーム上の特殊サブフレームの上りパイロットタイムスロットにより、前記基地局に上り信号を送信するために用いられる、端末。
【請求項３３】
無線通信方法であって、
基地局が端末に第三無線フレーム構成情報を送信することであって、前記第三無線フレーム構成情報は、前記端末に、第四無線フレームをn個の上りサブフレーム及びN-n個の動的サブフレームを含むように構成し、又は、第五無線フレームをN-1個の上りサブフレーム、１個の特殊サブフレーム及びN-n個の動的サブフレームを含むように構成することを通知するために用いられ、Nは、１個の無線フレームが含むサブフレームの総数であり、且つ、Nは、１個の1よりも大きい自然数であり、ｎは、Nよりも小さい自然数である、こと；
前記基地局が前記端末に第二動的サブフレーム指示情報を送信することであって、前記第二動的サブフレーム指示情報は、前記端末に、前記第四無線フレーム上の各動的サブフレームの伝送方向を指示し、前記第四無線フレームを第三サブフレームの構成に符合する第六無線フレームとして構成させ、又は、前記第四無線フレームを第四サブフレームの構成に符合する第七無線フレームとして構成させるために用いられ、或いは、前記第二動的サブフレーム指示情報は、前記端末に、前記第五無線フレーム上の各動的サブフレームの伝送方向を指示し、前記第五無線フレームを第四サブフレームの構成に符合する第七無線フレームとして構成させるために用いられ、そのうち、第三サブフレームの構成に符合する第六無線フレームは、ゼロ個の下りサブフレーム、ゼロ個の特殊サブフレーム及びN個の上りサブフレームを含み、第四サブフレームの構成に符合する第七無線フレームは、ゼロ個の下りサブフレーム、１個の特殊サブフレーム及びN-1個の上りサブフレームを含む、こと；及び
前記第六無線フレーム上で、前記基地局が前記第三サブフレームの構成を採用して前記端末と通信を行い、或いは、前記第七無線フレーム上で、前記基地局が前記第四サブフレームの構成を採用して前記端末と通信を行う、方法。
【請求項３４】
請求項33に記載の方法であって、
キャリアアグリゲーションの時に、
前記基地局が端末に第三無線フレーム構成情報を送信することは、前記基地局がSecondary  CCを用いて前記端末に前記第三無線フレーム構成情報を送信することを含み、
前記基地局が前記端末に第二動的サブフレーム指示情報を送信することは、前記基地局が前記Secondary  CC上で前記端末に前記第二動的サブフレーム指示情報を送信することを含み、
前記第六無線フレーム上で、前記基地局が前記第三サブフレームの構成を採用して前記端末と通信を行うことは、前記基地局が前記Secondary  CC上の第六無線フレームで、前記第三サブフレームの構成を採用して前記端末と通信を行うことを含み、
前記第七線フレーム上で、前記基地局が前記第四サブフレームの構成を採用して前記端末と通信を行うことは、前記基地局が前記Secondary  CC上の第七無線フレームで、前記第四サブフレームの構成を採用して前記端末と通信を行うことを含む、方法。
【請求項３５】
請求項34に記載の方法であって、
前記方法は更に、
前記基地局が前記Secondary  CC以外の他のキャリア上で前記端末に以下の情報、即ち、前記Secondary  CCのシステム情報、前記Secondary  CCの同期情報、前記Secondary  CCの物理下り制御情報及び前記Secondary  CCの下り応答情報の一つ又は複数を送信することを含む、方法。
【請求項３６】
請求項33乃至35中の任意の１項に記載の方法であって、
前記第七無線フレームで、前記基地局が前記第四サブフレームの構成を採用して前記端末と通信を行うことは、前記基地局が前記第七無線フレーム上の特殊サブフレーム中のGP中のリソースによって、リスニング信号を送信し又はリスニング信号を受信することを含む、方法。
【請求項３７】
無線通信方法であって
端末が基地局により送信された第三無線フレーム構成情報を受信することであって、前記第三無線フレーム構成情報は、前記端末に、第四無線フレームをn個上りサブフレーム及びN-n個の動的サブフレームを含むように構成し、又は、第五無線フレームをN-1個の上りサブフレーム、１個の特殊サブフレーム及びN-n個の動的サブフレームを含むように構成することを通知するために用いられ、Nは、１個の無線フレームが含むサブフレームの総数であり、且つ、Nは、１個の1よりも大きい自然数であり、ｎは、Nよりも小さい自然数である、こと；
前記端末が前記第三無線フレーム構成情報に基づいて、前記第四無線フレームをn個の上りサブフレーム及びN-n個の動的サブフレームを含むように構成し、又は、前記第五無線フレームをｎ-1個の上りサブフレーム、１個の特殊サブフレーム及びN-n個の動的サブフレームを含むように構成すること；
前記端末が基地局により送信された第二動的サブフレーム指示情報を受信することであって、前記第二動的サブフレーム指示情報は、前記端末に、前記第四無線フレーム上の各動的サブフレームの伝送方向を指示し、前記第四無線フレームを第三サブフレームの構成に符合する第六無線フレームとして構成させ、又は、前記第四無線フレームを第四サブフレームの構成に符合する第七無線フレームとして構成させるために用いれれ、或いは、前記第二動的サブフレーム指示情報は、前記端末に、前記第五無線フレーム上の各動的サブフレームの伝送方向を指示し、前記第五無線フレーム構成を第四サブフレームの構成に符合する第七無線フレームとして構成させるために用いられ、そのうち、第三サブフレームの構成に符合する第六無線フレームは、ゼロ個の下りサブフレーム、ゼロ個の特殊サブフレーム及びN個の上りサブフレームを含み、第四サブフレームの構成に符合する第七無線フレームは、ゼロ個の下りサブフレーム、１個の特殊サブフレーム及びN-1個の上りサブフレームを含む、こと；
前記端末が前記第二動的サブフレーム指示情報に基づいて、前記第四無線フレームを第三サブフレームの構成に符合する第六無線フレームとして構成し、又は、前記第四無線フレームを第四サブフレームの構成に符合する第七無線フレームとして構成し、或いは、前記第五無線フレームを第四サブフレームの構成に符合する第七無線フレームとして構成すること；及び
前記第六無線フレーム上で、前記端末が前記第三サブフレームの構成を採用して前記基地局と通信を行い、或いは、前記第七線フレーム上で、前記端末が前記第四サブフレームの構成を採用して前記基地局と通信を行うことを含む、方法。
【請求項３８】
請求項37に記載の方法であって、
キャリアアグリゲーションの時に、
前記端末が基地局により送信された第三無線フレーム構成情報を受信することは、前記端末が、前記基地局がSecondary  CCを用いて送信した前記第三無線フレーム構成情報を受信することを含み、
前記端末が基地局により送信された第二動的サブフレーム指示情報を受信することは、前記端末が、前記基地局が前記Secondary  CC上で送信した第二動的サブフレーム指示情報を受信することを含み、
前記第六無線フレーム上で、前記端末が前記第三サブフレームの構成を採用して前記基地局と通信を行うことは、前記端末が前記Secondary  CC上の第六無線フレームで、前記第三サブフレームの構成を採用して前記基地局と通信を行うことを含み、
前記第七線フレーム上で、前記端末が前記第四サブフレームの構成をさいようして前記基地局と通信を行うことは、前記端末が前記Secondary  CC上の第七無線フレームで、前記第四サブフレームの構成を採用して前記基地局と通信を行うことを含む、方法。
【請求項３９】
請求項38に記載の方法であって、
前記方法は更に、
前記端末が前記Secondary  CC以外の他のキャリア上で前記基地局が送信した以下の情報、即ち、前記Secondary  CCのシステム情報、前記Secondary  CCの同期情報、前記Secondary  CCの物理下り制御情報及び前記Secondary  CCの下り応答情報のうちの１つ又は複数を送信することを含む、方法。
【請求項４０】
請求項37乃至39中の任意の１項に記載の方法であって、
前記第七無線フレーム上で、前記端末が前記第四サブフレームの構成を採用して前記基地局と通信を行うことは、前記端末が前記第七無線フレーム上の特殊サブフレーム中のGP中のリソースによって、リスニング信号を送信し又はリスニング信号を受信することを含む、方法。
【請求項４１】
基地局であって、
端末に第三無線フレーム構成情報を送信するための送信モジュールであって、前記第三無線フレーム構成情報は、前記端末に、第四無線フレームをn個の上りサブフレーム及びN-n個の動的サブフレームを含むように構成し、又は、第五無線フレームをN-1個の上りサブフレーム、１個の特殊サブフレーム及びN-n個の動的サブフレームを含むように構成することを通知するために用いられ、Nは、１個の無線フレームが含むサブフレームの総数であり、且つ、Nは、１個の1よりも大きい自然数である、Nは、Nよりも小さい自然数である、送信モジュール；
さらに前記端末に第二動的サブフレーム指示情報を送信するための前記送信モジュールであって、前記第二動的サブフレーム指示情報は、前記端末に、前記第四無線フレーム上の各動的サブフレームの伝送方向を指示し、前記第四無線フレームを第三サブフレームの構成に符合する第六無線フレームとして構成させ、又は、前記第四無線フレームを第四サブフレームの構成に符合する第七無線フレームを構成させるために用いられ、或いは、前記第二動的サブフレーム指示情報は、前記端末に、前記第五無線フレーム上の各動的サブフレームの伝送方向を指示し、前記第五無線フレームを第四サブフレームの構成に符合する第七無線フレームとして構成させるために用いられ、そのうち、第三サブフレームの構成に符合する第六無線フレームは、ゼロ個の下りサブフレーム、ゼロ個の特殊サブフレーム及びN個の上りサブフレームを含み、第四サブフレームの構成に符合する第七無線フレームは、ゼロ個の下りサブフレーム、１個の特殊サブフレーム及びN-1個の上りサブフレームを含む、前記送信モジュール；及び
前記第六無線フレーム上で、前記第三サブフレームの構成を採用して前記端末と通信を行い、或いは、前記第七線フレーム上で、前記第四サブフレームの構成を採用して記端末と通信を行うための通信モジュールを含む、基地局。
【請求項４２】
請求項41に記載の基地局であって、
前記送信モジュールは、具体的に、キャリアアグリゲーションの時に、Secondary  CCを用いて、端末に前記第三無線フレーム構成情報及び前記第二動的サブフレーム指示情報を送信するために用いられ、
前記通信モジュールは、具体的に、前記Secondary  CC上の第六無線フレームで、前記第三サブフレームの構成を採用して前記端末と通信を行い、或いは、前記Secondary  CC上の第七無線フレームで、前記第四サブフレームの構成を採用して前記端末と通信を行うために用いられる、基地局。
【請求項４３】
請求項42に記載の基地局であって、
前記送信モジュールは更に、前記Secondary  CC以外の他のキャリア上で、前記端末に以下の情報、即ち、前記Secondary  CCのシステム情報、前記Secondary  CCの同期情報、前記Secondary  CCの物理下り制御情報及び前記Secondary  CCの下り応答情報のうちの１つ又は複数を送信するために用いられる、基地局。
【請求項４４】
請求項41乃至43中の任意の１項に記載の前記基地局であって、
前記通信モジュールは、具体的に、前記第七無線フレーム上の特殊サブフレーム中のGP中のリソースにより、リスニング信号を送信し又はリスニング信号を受信するために用いられる、基地局。
【請求項４５】
端末であって、
基地局が送信した第三無線フレーム構成情報を受信するための受信モジュールであって、前記第三無線フレーム構成情報は、前記端末に、第四無線フレームをn個の上りサブフレーム及びN-n個の動的サブフレームを含むように構成し、又は、第五無線フレームをｎ-1個の上りサブフレーム、１個の特殊サブフレーム及びN-n個の動的サブフレームを含むように構成することを通知するために用いられ、Nは、１個の無線フレームが含むサブフレームの総数であり、且つ、Nは、１個の1よりも大きい自然数、ｎは、Nよりも小さい自然数である、受信モジュール；
前記受信モジュールが受信した前記第三無線フレーム構成情報に基づいて、前記第四無線フレームをn個の上りサブフレーム及びN-n個の動的サブフレームを含むように構成し、又は、前記第五無線フレームをｎ-1個の上りサブフレーム、１個の特殊サブフレーム及びN-n個の動的サブフレームを含むように構成するための構成モジュール；
さらに基地局が送信した第二動的サブフレーム指示情報を受信するための前記受信モジュールであって、前記第二動的サブフレーム指示情報は、前記端末に、記第四無線フレーム上の各動的サブフレームの伝送方向を指示し、前記第四無線フレームを第三サブフレームの構成に符合する第六無線フレームとして構成させ、又は、前記第四無線フレームを第四サブフレームの構成に符合する第七無線フレームとして構成させるために用いられ、或いは、前記第二動的サブフレーム指示情報ｈ、前記端末に、前記第五無線フレーム上の各動的サブフレームの伝送方向を指示し、前記第五無線フレームを第四サブフレームの構成に符合する第七無線フレームとして構成させるために用いられ、そのうち、第三サブフレームの構成に符合する第六無線フレームは、ゼロ個の下りサブフレーム、ゼロ個の特殊サブフレーム及びN個の上りサブフレームを含み、第四サブフレームの構成に符合する第七無線フレームは、ゼロ個の下りサブフレーム、１個の特殊サブフレーム及びN-1個の上りサブフレームを含む、前記受信モジュール；
さらに前記受信モジュールが受信した前記第二動的サブフレーム指示情報に基づいて、前記第四無線フレームを第三サブフレームの構成に符合する第六無線フレームとして構成し、又は、前記第四無線フレームを第四サブフレームの構成に符合する第七無線フレームとして構成し、或いは、前記第五無線フレームを第四サブフレームの構成に符合する第七無線フレームとして構成するための前記構成モジュール；及び
前記構成モジュールが構成した前記第六無線フレーム上で、前記第三サブフレームの構成を採用して前記基地局を通信を行い、或いは、前記構成モジュールが構成した前記第七線フレーム上で、前記第四サブフレームの構成を採用して前記基地局と通信を行うための通信モジュールを含む、端末。
【請求項４６】
請求項45に記載の端末であって、
前記受信モジュールは、具体的に、キャリアアグリゲーションの時に、前記基地局がSecondary  CCについて送信した前記第三無線フレーム構成情報及び前記第二動的サブフレーム指示情報を受信するために用いられ、
前記通信モジュールは、具体的に、前記Secondary  CC上の第六無線フレームで、前記第三サブフレームの構成を採用して前記基地局と通信を行い、或いは、前記Secondary  CC上の第七無線フレームで、前記第四サブフレームの構成を採用して前記基地局と通信を行うために用いられる、端末。
【請求項４７】
請求項46に記載の端末であって、
前記受信モジュールは更に、前記Secondary  CC以外の他のキャリア上で、前記基地局が送信した以下の情報、即ち、前記Secondary  CCのシステム情報、前記Secondary  CCの同期情報、前記Secondary  CCの物理下り制御信、及び前記Secondary  CCの下り応答情報のうちの１つ又は複数を受信するために用いられる、端末。
【請求項４８】
請求項45乃至47中の任意の１項に記載の端末であって、
前記通信モジュールは、具体的に、前記第七無線フレーム上の特殊サブフレーム中のGP中のリソースによって、リスニング信号を送信し又はリスニング信号を受信するために用いられる、端末。
【発明の詳細な説明】
【技術分野】
【０００１】
本発明の実施例は、通信技術に関し、特に、無線通信方法、基地局及び端末に関する。
【０００２】
本出願は、2012年6月1日に中国特許局に提出した、出願番号が201210178970.1である、発明の名称が「無線通信方法、基地局及び端末」である中国特許出願の優先権を主張し、その全部の内容は、引用することにより本出願に援用する。
【背景技術】
【０００３】
3GPP（3rd  Generation  Partnership  Project)LTE(Long  Term  Evolution)TDD(Time  Division  Duplex)システム中では、１個の無線フレーム長さが10msであり、そのうち、10個のサブフレームを含む。各サブフレーム長さがすべてlmsであり、ネットワーク側装置により、下りデータ又は上りデータの伝送のために、サブフレームを構成することができる。LTE  TDDシステムでは、７種の異なるサブフレームの構成をサポートし、下りサブフレームの時刻に、ネットワーク装置は、ユーザ装置に下りデータパケットを送信することができ、上りサブフレームに、ユーザ装置は、ネットワーク装置に上りデータパケットを送信することができる。特殊サブフレームに、ネットワーク装置は、ユーザ装置に下りデータパケットを送信することができるが、ユーザ装置は、ネットワーク装置に上りデータパケットを送信することができない。よって、特殊サブフレームは、通常、下りサブフレームとも見なされる。
【０００４】
3GPP  LTEシステムは１つの絶えずに進化しているシステムであり、今のところ、ネットワーク装置は、システム情報のブロードキャストにより、ユーザ装置に、使用するサブフレームの構成が７種のサブフレームの構成のうちのどれかを通知する。サブフレームの構成の変更は、システム情報の更新プロセスにより完成される。上り／下りサービスの突発性を考慮すれば、ユーザ数が少ない時に、現在のサービス流量特性により良くマッチングするために、しばしば、サブフレームの構成が迅速に変化し得ることを要する。そのうち、サブフレームの構成は、しばしば、数百ミリ秒毎に一回変化する可能性があり、ひいては、１０ms(ミリ秒)毎に一回変化することもある。ユーザの瞬時サービスのニーズに基づいて動的にサブフレームの構成を変更する一種の方法は、基地局がユーザ装置のために、各無線フレーム中で少なくとも１個の下りサブフレーム、少なくとも１個の上りサブフレーム、及び少なくとも１個の動的サブフレームを構成することを含み、そのうち、動的サブフレームは、各サブフレームに、必要に応じて、従来の７種のLTE  TDDサブフレームの構成の間での動的な切り替えをサポートするために、動的に下りデータ伝送又は上りデータ伝送のために用いられ得る。サブフレームの構成の動的な変更は、主に、室内又はホットスポットのカバーする小さいセルに用いられ、この類のセルは、通常、カバーする半径が小さく、サービングされるユーザ数も比較的に少ない。
【０００５】
セル内でサービングされているユーザが現在に上りサービス、例えば、ビデオモニタリングを有する時に、従来技術では、動的サブフレームを上りサービスの伝送のための上りサブフレームとする時に、60%の上りサブフレームしか提供できず、無線フレームの40%の下りサブフレームは、アイドル（idle）サブフレームである。セル内でサービングされているユーザが現在に下りサービス、例えば、ファイルダウンロードを有する時に、従来技術では、動的サブフレームを下りサービスの伝送のための下りサブフレームとする時に、最大で90%の下りサブフレームしか提供できず、また、無線フレーム10%の上りサブフレームは、アイドルサブフレームである。よって、従来技術により提供されている動的サブフレーム変更方法は、上りリンクを主とするサービス、及び、下りリンクを主とするサービスにより良く適応できず、一部のサブフレームは、利用することができない。
【発明の概要】
【発明が解決しようとする課題】
【０００６】
本発明の実施例は、従来技術によるサブフレームの構成に存在するサブフレームの浪費という欠点を無くすための無線通信方法、基地局及び端末を提供することにある。
【課題を解決するための手段】
【０００７】
一側面によれば、本発明は無線通信方法を提供し、それは、
基地局が端末に構成通知情報を送信することであって、前記構成通知情報は、前記端末に、第一無線フレームを、第一サブフレームの構成に符合するように構成することを通知するために用いられ、そのうち、前記第一サブフレームの構成に符合する前記第一無線フレームは、N-1個の下りサブフレーム、１個の特殊サブフレーム、及びゼロ個の上りサブフレームを含み、Nは、１個の無線フレームが含むサブフレームの総数であり、且つ、Nは、１個の1よりも大きい自然数である、こと；及び
前記第一無線フレーム上で、前記基地局が前記第一サブフレームの構成を採用して前記端末と通信を行うことを含む。
【０００８】
一側面によれば、本発明は更に無線通信方法を提供し、それは、
端末が基地局により送信された構成通知情報を受信することであって、前記構成通知情報は、前記端末に、第一無線フレームを、第一サブフレームの構成に符合するように構成することを通知するために用いられ、前記第一サブフレームの構成に符合する第一無線フレームは、N-1個の下りサブフレーム、１個の特殊サブフレーム、及びゼロ個の上りサブフレームを含み、Nは、１個の無線フレームが含むサブフレームの総数であり、且つ、Nは、１個の1よりも大きい自然数である、こと；
前記端末が前記構成通知情報に基づいて、前記第一無線フレームを、前記第一サブフレームの構成に符合するように構成し；及び
前記第一無線フレーム上で、前記端末が前記第一サブフレームの構成を採用して前記基地局と通信を行うことを含む。
【０００９】
一側面によれば、本発明は更に基地局を提供し、それは、
端末に構成通知情報を送信するための送信モジュールであって、前記構成通知情報は、第一無線フレームを、第一サブフレームの構成に符合するように構成することを前記端末に通知するために用いられ、前記第一サブフレームの構成に符合する前記第一無線フレームは、N-1個の下りサブフレーム、１個の特殊サブフレーム、及び及びゼロ個の上りサブフレームを含み、Nは、１個の無線フレームが含むサブフレームの総数であり、且つ、Nは、１個の1よりも大きい自然数である、送信モジュール；及び
前記第一無線フレーム上で、前記第一サブフレームの構成を採用して前記端末と通信を行うための通信モジュールを含む。
【００１０】
一側面によれば、本発明は更に端末を提供し、それは、
基地局により送信された構成通知情報を受信するための受信モジュールであって、前記構成通知情報は、第一無線フレームを、第一サブフレームの構成に符合するように構成することを前記端末に通知するために用いられ、前記第一サブフレームの構成に符合する前記第一無線フレームは、N-1個の下りサブフレーム、１個の特殊サブフレーム及び、ゼロ個の上りサブフレームを含み、Nは、１個の無線フレームが含むサブフレームの総数であり、且つ、Nは、１個の1よりも大きい自然数である、受信モジュール；
前記受信モジュールにより受信された前記構成通知情報に基づいて、前記第一無線フレームを、第一サブフレームの構成に符合するように構成するための構成モジュール；及び
前記構成モジュールにより構成された前記第一無線フレーム上で、前記第一サブフレームの構成を採用して前記基地局と通信を行うための通信モジュールを含む。
【００１１】
本発明により提供された以上の技術案により、基地局が端末のために構成した１個又は複数の無線フレームは、N-1個の下りサブフレーム、１個の特殊サブフレーム、及びゼロ個の上りサブフレームを含む。N個のサブフレームを含む該無線フレームは、N-1個の下りサブフレームを提供することで、下り伝送リソースを増やし、無線リソースの浪費を抑えることができ、これにより、下りサービスを主とする端末のニーズにより良く適応することができる。
【００１２】
他の側面によれば、本発明は無線通信方法を提供し、それは、
基地局が端末に第三無線フレーム構成情報を送信することであって、前記第三無線フレーム構成情報は、第四無線フレーム構成を、n個の上りサブフレーム及びN-n個の動的サブフレームを含むように構成すること、又は、第五無線フレームを、N-1個の上りサブフレーム、１個の特殊サブフレーム、及びN-n個の動的サブフレームを含むように構成することを前記端末に通知するために用いられ、Nは、１個の無線フレームが含むサブフレームの総数であり、且つ、Nは、１個の1よりも大きい自然数であり、nは、Nよりも小さい自然数である、こと；
前記基地局が前記端末に第二動的サブフレーム指示情報を送信することであって、前記第二動的サブフレーム指示情報は、前記第四無線フレームを、第三サブフレームの構成に符合する第六無線フレームとして構成し、又は、前記第四無線フレームを、第四サブフレームの構成に符合する第七無線フレームとして構成するように、前記端末に、前記第四無線フレーム上での各動的サブフレームの伝送方向を指示するために用いられ、或いは、前記第二動的サブフレーム指示情報は、前記第五無線フレームを、第四サブフレームの構成に符合する第七無線フレームとして構成するように、前記端末に、前記第五無線フレーム上での各動的サブフレームの伝送方向を指示するために用いられ、そのうち、第三サブフレームの構成に符合する第六無線フレームは、ゼロ個の下りサブフレーム、ゼロ個の特殊サブフレーム、及びN個の上りサブフレームを含み、第四サブフレームの構成に符合する第七無線フレームは、ゼロ個の下りサブフレーム、１個の特殊サブフレーム、及びN-1個の上りサブフレームを含む、こと；
前記第六無線フレーム上で、前記基地局が前記第三サブフレームの構成を採用して前記端末と通信を行い、又は、前記第七無線フレーム上で、前記基地局が前記第四サブフレームの構成を採用して前記端末と通信を行うことを含む。
【００１３】
他の側面によれば、本発明は無線通信方法を提供し、それは、
端末が基地局により送信された第三無線フレーム構成情報を受信することであって、前記第三無線フレーム構成情報は、前記端末に、第四無線フレームを、n個の上りサブフレーム及びN-n個の動的サブフレームを含むように構成することを通知し、或いは、第五無線フレームを、n-1個の上りサブフレーム、１個の特殊サブフレーム、及びN-n個の動的サブフレームを含むように構成することを通知し、Nは、１個の無線フレームが含むサブフレームの総数であり、且つ、Nは、１個の1よりも大きい自然数であり、nは、Nよりも小さい自然数である、こと；
前記端末が前記第三無線フレーム構成情報に基づいて、前記第四無線フレームを、n個の上りサブフレーム及びN-n個の動的サブフレームを含むように構成し、又は、前記第五無線フレームを、n-1個の上りサブフレーム、１個の特殊サブフレーム、及びN-n個の動的サブフレームを含むように構成すること；及び
前記端末が基地局により送信された第二動的サブフレーム指示情報を受信することであって、前記第二動的サブフレーム指示情報は、前記端末に、前記第四無線フレームを、第三サブフレームの構成に符合する第六無線フレームとして構成し、又は、前記第四無線フレームを、第四サブフレームの構成に符合する第七無線フレームとして構成するように、前記第四無線フレーム上での各動的サブフレームの伝送方向を指示するために用いられ、或いは、前記第二動的サブフレーム指示情報は、前記端末に、前記第五無線フレームを、第四サブフレームの構成に符合する第七無線フレームとして構成するように、前記第五無線フレーム上での各動的サブフレームの伝送方向を指示するために用いられ、そのうち、第三サブフレームの構成に符合する第六無線フレームは、ゼロ個の下りサブフレーム、ゼロ個の特殊サブフレーム、及びN個の上りサブフレームを含み、第四サブフレームの構成に符合する第七無線フレームは、ゼロ個の下りサブフレーム、１個の特殊サブフレーム、及びN-1個の上りサブフレームを含む、こと；
前記端末が前記第二動的サブフレーム指示情報に基づいて、前記第四無線フレームを、第三サブフレームの構成に符合する第六無線フレームとして構成し、又は、前記第四無線フレームを、第四サブフレームの構成に符合する第七無線フレームとして構成し、或いは、前記第五無線フレームを、第四サブフレームの構成に符合する第七無線フレームとして構成すること；及び
前記第六無線フレーム上で、前記端末が前記第三サブフレームの構成を採用して前記基地局と通信を行い、或いは、前記第七線フレーム上で、前記端末が前記第四サブフレームの構成を採用して前記基地局と通信を行うことを含む。
【００１４】
他の側面によれば、本発明は更に他の基地局を提供し、それは、
端末に第三無線フレーム構成情報を送信するための送信モジュールであって、前記第三無線フレーム構成情報は、前記端末に、第四無線フレームを、n個の上りサブフレーム及びN-n個の動的サブフレームを含む第四無線フレームとして構成し、又は、第五無線フレームを、ｎ-1個の上りサブフレーム、１個の特殊サブフレーム、及びN-n個の動的サブフレームを含めるように構成することを通知し、Nは、１個の無線フレームが含むサブフレームの総数であり、且つ、Nは、１個の1よりも大きい自然数であり、nは、Nよりも小さい自然数である、送信モジュール；
更に前記端末に第二動的サブフレーム指示情報を送信するための前記送信モジュールであって、前記第二動的サブフレーム指示情報は、前記端末に、前記第四無線フレームを、第三サブフレームの構成に符合する第六無線フレームとして構成し、又は、前記第四無線フレームを、第四サブフレームの構成に符合する第七無線フレームとして構成するように、前記第四無線フレーム上での各動的サブフレームの伝送方向を指示するために用いられ、或いは、前記第二動的サブフレーム指示情報は、前記端末に、前記第五無線フレームを、第四サブフレームの構成に符合する第七無線フレームとして構成するように、前記第五無線フレーム上での各動的サブフレームの伝送方向を指示するために用いられ、そのうち、第三サブフレームの構成に符合する第六無線フレームは、ゼロ個の下りサブフレーム、ゼロ個の特殊サブフレーム、及びN個の上りサブフレームを含み、第四サブフレームの構成に符合する第七無線フレームは、ゼロ個の下りサブフレーム、１個の特殊サブフレーム、及びN-1個の上りサブフレームを含む、前記送信モジュール；及び
前記第六無線フレーム上で、前記第三サブフレームの構成を採用して前記端末と通信を行い、或いは、前記第七線フレーム上で、前記第四サブフレームの構成を採用して前記端末と通信を行う通信モジュールを含む。
【００１５】
他の側面によれば、本発明は更に他の端末を提供し、それは、
基地局により送信された第三無線フレーム構成情報を受信するための受信モジュールであって、前記第三無線フレーム構成情報は、前記端末に、第四無線フレームを、n個の上りサブフレーム及びN-n個の動的サブフレームを含むように構成し、又は、第五無線フレームを、n-1個の上りサブフレーム、１個の特殊サブフレーム、及びN-n個の動的サブフレームを含むように構成することを通知し、Nは、１個の無線フレームが含むサブフレームの総数であり、且つ、Nは、１個の1よりも大きい自然数であり、nは、Nよりも小さい自然数である、受信モジュール；
前記受信モジュールにより受信された前記第三無線フレーム構成情報に基づいて、前記第四無線フレームを、n個の上りサブフレーム及びN-n個の動的サブフレームを含むように構成し、又は、前記第五無線フレームを、n-1個の上りサブフレーム、１個の特殊サブフレーム、及びN-n個の動的サブフレームを含むように構成するための構成モジュール；
さらに基地局により送信された第二動的サブフレーム指示情報を受信するための前記受信モジュールであって、前記第二動的サブフレーム指示情報は、前記端末に、前記第四無線フレームを、第三サブフレームの構成に符合する第六無線フレームとして構成し、又は、前記第四無線フレームを、第四サブフレームの構成に符合する第七無線フレームとして構成するように、前記第四無線フレーム上での各動的サブフレームの伝送方向を指示するために用いられ、或いは、前記第二動的サブフレーム指示情報は、前記端末に、前記第五無線フレームを、第四サブフレームの構成に符合する第七無線フレームとして構成するように、前記第五無線フレーム上での各動的サブフレームの伝送方向を指示するために用いられ、そのうち、第三サブフレームの構成に符合する第六無線フレームは、ゼロ個の下りサブフレーム、ゼロ個の特殊サブフレーム、及びN個の上りサブフレームを含み、第四サブフレームの構成に符合する第七無線フレームは、ゼロ個の下りサブフレーム、１個の特殊サブフレーム、及びN-1個の上りサブフレームを含む、前記受信モジュール；
さらに前記受信モジュールにより受信された前記第二動的サブフレーム指示情報に基づいて、前記第四無線フレームを、第三サブフレームの構成に符合する第六無線フレームとして構成し、又は、前記第四無線フレームを、第四サブフレームの構成に符合する第七無線フレームとして構成し、或いは、前記第五無線フレームを、第四サブフレームの構成に符合する第七無線フレームとして構成するための前記構成モジュール；及び
前記構成モジュールにより構成された前記第六無線フレーム上で、前記第三サブフレームの構成を採用して前記基地局と通信を行い、或いは、前記構成モジュールにより構成された前記第七線フレーム上で、前記第四サブフレームの構成を採用して前記基地局と通信を行うための通信モジュールを含む。
【００１６】
本発明により提供された以上の技術案により、基地局は、少なくとも１個の無線フレーム上で動的サブフレームを構成し、その後、動的サブフレームの伝送方向を動的に変更し、これにより、動的サブフレームを構成している無線フレームは、ゼロ個の下りサブフレーム、ゼロ個の特殊サブフレーム、及びN個の上りサブフレームを含む第六無線フレームとして構成され、或いは、ゼロ個の下りサブフレーム、１個の特殊サブフレーム、及びN-1個の上りサブフレームを含む第七無線フレームとして構成される。基地局は、サブフレームの総数がNである第六無線フレーム上でN個の上りサブフレームを提供し、サブフレームの総数がNである第七無線フレーム上でN-1の個上りサブフレームを提供しているので、上りサービスを主する端末と通信を行う時に、第六無線フレーム又は第七無線フレーム上でのサブフレームの構成を採用することで、無線リソースの浪費を低減し、上りサービスを主とする端末のニーズにより良く適応することができる。
【図面の簡単な説明】
【００１７】
【図１】本発明の実施例による無線通信方法のフローチャートである。
【図２】本発明の実施例による他の無線通信方法のフローチャートである。
【図３Ａ】本発明の実施例による新しいPUCCHチャネルの構成を示す図である。
【図３Ｂ】本発明の実施例による10個のサブフレームを含む場合の第一無線フレーム上で早期端末と進化端末とのサブフレームの構成を示す図である。
【図４】本発明の実施例による他の無線通信方法のフローチャートである。
【図５】本発明の実施例による基地局の構成を示す図である。
【図６】本発明の実施例による端末の構成を示す図である。
【図７Ａ】本発明の実施例による他の無線通信方法のフローチャートである。
【図７Ｂ】本発明の実施例による他の無線通信方法のフローチャートである。
【図７Ｃ】図7Aの応用シナリオを示す図である。
【図８】本発明の実施例による他の無線通信方法のフローチャートである。
【図９】本発明の実施例による他の基地局の構成を示す図である。
【図１０】本発明の実施例による他の端末の構成を示す図である。
【発明を実施するための形態】
【００１８】
以下、本発明の実施例中の図面を参照しながら、本発明の実施例中の技術案を明確且つ完全に説明する。なお、説明されている実施例は、本発明の一部の実施例のみであり、全部の実施例ではない。また、本発明中の実施例に基づいて、当業者が得た全ての他の実施例は、本発明の保護範囲に属する。
【００１９】
図1、図2、図3A、図3B、図4、図5及び図6に対応する実施例中では、下りサービスを主とする端末のためにサブフレームの構成を構成する。
【００２０】
図1は、本発明の実施例による無線通信方法のフローチャートである。図1に示すように、本実施例による方法は、次のステップを含む。
【００２１】
ステップ11:基地局が端末に構成通知情報を送信し、構成通知情報は、端末に、少なくとも１個の無線フレームを、第一サブフレームの構成に符合する第一無線フレームとして構成することを通知するために用いられ、第一サブフレームの構成は、N-1個の下りサブフレーム、１個の特殊サブフレーム及びゼロの個上りサブフレームを含み、Nは、１個の無線フレームが含み得るサブフレームの総数である。
【００２２】
基地局は、セル内で構成通知情報をブロードキャストしてもよく、端末のサービスのニーズに基づいて、指定端末に構成通知情報を送信してもよく、例えば、下りサービスを主とする端末に上述の構成通知情報を送信する。基地局は、無線リソース制御情報により構成通知情報を送信してもよく、構成通知情報送信時に、更に構成通知情報の有効になった時間を送信してもよい。構成通知情報は、１個の無線フレームを、第一サブフレームの構成に符合する第一無線フレームとして構成することを通知するために用いられても良く、端末に、複数の無線フレームを、第一サブフレームの構成に符合する第一無線フレームとして構成することを通知するために用いられても良い。そのうち、第一サブフレームの構成に符合する第一無線フレームは、N-1個の下りサブフレーム、１個の特殊サブフレーム及びゼロ個の上りサブフレームを含み、Nは、１個の無線フレームが含むサブフレームの総数であり、且つ、Nは、１個の1よりも大きい自然数である。
【００２３】
表1は、本発明によるLTE  TDDシステムがサポートするサブフレームの構成であり、そのうち、Dは、下りサブフレームを示し、Uは、上りサブフレームを示し、Sは、特殊サブフレームを示す。表1に示すLTE  TDDシステムがサポートするサブフレーム構成は、LTE  TDDシステムのバージョン8がサポートする７種のサブフレームの構成（0〜6)以外に、更に新しいサブフレームの構成7をもサポートする。サブフレームの構成7は、9個の下りサブフレーム、1個の特殊サブフレーム及び0個の上りサブフレームを含む。基地局は、セル内で、表1に示すようなサブフレームの構成7の構成通知情報をブロードキャストすることで、端末に、少なくとも１個の無線フレームを、サブフレームの構成7に符合する第一無線フレームとして構成することを通知し得る。表2中でのタイムスロット長さは、OFDM（Orthogonal  Frequency  Division  Multiple)シンボル数で示される。
【００２４】
表1は、本発明によるLTE  TDDシステムがサポートするサブフレーム構成である。
【表１】
2015523785.tif 000003
【００２５】
ステップ12:第一無線フレーム上で、基地局が第一サブフレームの構成を採用して端末と通信を行う。
【００２６】
端末は、基地局が送信した構成通知情報を受信した後に、第一サブフレームの構成に基づいて第一無線フレームに対してのサブフレーム構成を行い、第一無線フレームを、N-1個の下りサブフレーム、１個の特殊サブフレーム及びゼロ個の上りサブフレームを含むように構成する。第一無線フレーム上で、基地局は第一サブフレームの構成を採用して端末と通信を行い、例えば、基地局は下りサブフレームで端末に下りデータ及び下り制御情報を送信し、端末は下りサブフレームで下りデータ及び下り制御情報を受信する。
【００２７】
本実施例による無線通信方法によれば、基地局が端末のために構成した１個又は複数の無線フレームは、それぞれ、N-1個の下りサブフレーム、１個の特殊サブフレーム及びゼロ個の上りサブフレームを含む。N個のサブフレームを含む該無線フレームは、N-1個の下りサブフレームを提供することで、下り伝送リソースを増やし、無線リソースの浪費を低減し、下りサービスを主とする端末のニーズにより良く適応することができる。
【００２８】
図2は、本発明の実施例による他の無線通信方法のフローチャートである。本実施例では、無線フレーム上で動的サブフレームを構成し、その後、動的サブフレームの伝送方向を動的に下りデータ伝送のために構成し、これにより、少なくとも１個の動的サブフレームを含む無線フレームのサブフレームの構成は、N-l個の下りサブフレーム、１個の特殊サブフレーム及びゼロ個の上りサブフレームであるように構成される。図2に示すように、本実施例による方法は、次のステップを含む。
【００２９】
ステップ21:基地局が端末に第一無線フレーム構成情報を送信し、第一無線フレーム構成情報は、端末に、少なくとも１個の無線フレームを、n個の下りサブフレーム及びN-n個の動的サブフレームを含む第三無線フレームとして構成し、又は、n-l個の下りサブフレーム、１個の特殊サブフレーム及びN-n個の動的サブフレームを含む第三無線フレームとして構成することを通知し、そのうち、ｎは、Nよりも小さい自然数である。
【００３０】
基地局は指定端末又はセル内の全ての端末に第一無線フレーム構成情報を送信することで、端末は、１個の無線フレーム又は複数の無線フレームを、n個の下りサブフレーム及びN-n個の動的サブフレームを含む第三無線フレームとして構成し、又は、n-l個の下りサブフレーム、１個の特殊サブフレーム及びN-n個の動的サブフレームを含む第三無線フレームとして構成することができ、そのうち、ｎは、Nよりも小さい自然数であり、動的サブフレームは、各サブフレームの時刻に、必要に応じて、下りデータ伝送又は上りデータ伝送のために用いられ得る。
【００３１】
LTE  TDDシステムについては、N=10である。LTE  TDDシステムが１つの絶えずに進化しているシステムであることを考慮すれば、動的サブフレーム機能をサポートする基地局も、早期バージョンの端末をサポートする必要がある。好ましくは、端末に第一無線フレーム構成情報を送信する前に、基地局は、システム情報により、端末にサブフレームの構成をブロードキャストし、例えば、表1に示すような上り／下りサブフレームの構成0から上り／下りサブフレームの構成6までのうちの１種をブロードキャストする。LTE  TDDシステムを例とし、１個の無線フレームが10個のサブフレームを含み、基地局は、先ず、システム情報により、表1に示すようなサブフレームの構成0からサブフレームの構成6までのうちの任意の１種をブロードキャストし、端末は、システム情報によりブロードキャストされたサブフレームの構成に基づいて、各サブフレームの伝送方向を構成する。その後、基地局は更に、動的サブフレーム機能をサポートする端末に第一無線フレーム構成情報を送信し、第一無線フレーム構成情報は、システム情報によりブロードキャストされたサブフレームの構成に比べ、より高いサブフレーム構成の優先度を有し、端末は、第一無線フレーム構成メッセージを受信した後に、システムメッセージによりブロードキャストされたサブフレームの構成のうちの一部のサブフレームを再び動的サブフレームとして構成することができる。第一無線フレーム構成情報は、10ビットのビットマップにより、無線フレーム中の各サブフレームが動的サブフレームとして構成されているかを指示することができ、例えば、サブフレームに対応するビットが1であれば、該サブフレームが動的サブフレームとして構成されていることを示し；サブフレームに対応するビットが0であれば、該サブフレームが動的サブフレームとして構成されていないことを示す。第一無線フレーム構成情報により動的サブフレームとして構成されていないサブフレームについて言えば、その伝送方向は、システム情報によりブロードキャストされたサブフレームの構成により確定された伝送方向である。例えば、基地局がシステム情報により表1に示すようなサブフレームの構成1をブロードキャストし、第一無線フレーム構成情報により通知された動的サブフレーム構成情報が0011101111であるとすれば、サブフレーム2〜サブフレーム4及びサブフレーム6〜サブフレーム9は動的サブフレームとして構成され、サブフレーム0、サブフレーム1及びサブフレーム5はサブフレームの構成1に基づいて順に下りサブフレーム、特殊サブフレーム及び下りサブフレームとして構成される。
【００３２】
ステップ22:基地局が端末に第一動的サブフレーム指示情報を送信し、第一動的サブフレーム指示情報は、端末に、少なくとも１個の第三無線フレーム上で各動的サブフレームの伝送方向を指示し、少なくとも１個の第三無線フレームを、第一サブフレームの構成に符合する第一無線フレームとして構成させるために用いられる。
【００３３】
端末に第一無線フレーム構成情報を送信した後に、動的サブフレームを含む第三無線フレームについて、基地局は、端末のサービスのニーズに基づいて、動的に、動的サブフレームの伝送方向を構成することができる。例えば、端末は、現在にファイルダウンロードなどの、下りリンクを主とするサービスを有する時に、下りサービスの伝送のために、より多くの下りサブフレームを要し、この時に、基地局は、第一動的サブフレーム指示情報により、端末に、N-n個の動的サブフレームの伝送方向をすべて下りリンクとして構成すること、即ち、下りサブフレームとして用いられることを通知し、動的サブフレームを含む第三無線フレームを、第一サブフレームの構成に符合するように、N-1個の下りサブフレーム、１個の特殊サブフレーム及びゼロ個の上りサブフレームを含む第一無線フレームとして構成させることができる。
【００３４】
第一動的サブフレーム指示情報について、１種の実現方式は次のようであり、即ち、ユーザ端末は、各動的サブフレーム上で上り信号伝送を行うかどうかを検出し、１個の動的サブフレーム上で任意の上り信号（例えば、上りデータ、上り制御情報など）の伝送を行えば、該動的サブフレームを上りサブフレームとして用い、そうでなければ、該動的サブフレームを下りサブフレームとして用いる。他の実現方式は次のようであり、即ち、物理下り制御シグナリングにより、端末に、各動的サブフレームが下りサブフレームか上りサブフレームとして用いられることを指示する。なお、第一動的サブフレーム指示情報の具体的な設計は、本発明が考慮する重点ではないので、ここでは詳しい説明を省略する。
【００３５】
ステップ23:第一無線フレーム上で、基地局が第一サブフレームの構成を採用して端末と通信を行う。
【００３６】
本実施例では、基地局は先ず端末のために、動的サブフレームを含む第三無線フレームを構成し、その後、端末のサービのスニーズに応じて、動的サブフレームの伝送方向を変更することで、少なくとも１個の、動的サブフレームを含む第三無線フレームを、N-1個の下りサブフレーム、１個の特殊サブフレーム及びゼロ個の上りサブフレームを含む第一無線フレームとして構成させる。表1から分かるように、従来のLTE  TDDにより定義されたサブフレームの構成のうち、サブフレームの構成5は、下り伝送のために最も多いOFDMシンボルを提供することができる。短サイクリックプレフィックスのサブフレーム構成を例とし、サブフレームの構成5には8個の下りサブフレームがあり、各下りサブフレームは、下り伝送のために14個のOFDMシンボルを提供することができ、表2から分かるように、特殊サブフレーム中のDwPTS(Downlink  Pilot  Slot）は、最大で12個のOFDMシンボルとして構成され、この場合、下り伝送のためのOFDMシンボル総数は、14*8+12=124個である。本発明の実施例によるサブフレームの構成9D:1S:0Uを採用して、特殊サブフレームの構成は、UpPTS(Uplink  Pilot  Slot)の長さがサブフレームの長さの半分であり、DwPTS及びGP(Guard  Period）の総長さもサブフレームの長さの半分であることを満足する時に、DwPTSは、最大で6個のOFDMシンボルとして構成され、下り伝送のための総OFDMシンボル数は、14*9+6=132個であり、下り伝送のための総OFDMシンボル数は、（132-124)/124=6.45%増え、また、特殊サブフレームの構成は、LTE  TDDのバージョン8により定義された特殊サブフレームの構成である時に、DwPTS長さが12個のOFDMシンボルである構成を採用することができ、この時に、下り伝送のための総OFDMシンボル数は、14*9+12=138個であり、下り伝送の総OFDMシンボル数は、（138-124)/124=11.29%増えた。即ち、サブフレームの構成9D:1S:0Uは、使用可能な下り伝送リソースを増やすことができるため、下りリンクを主するサービス、例えば、ファイルダウンロードにより良く適応することができる。
【００３７】
以下、基地局及び端末が如何に、第一サブフレームの構成を有する第一無線フレーム中の特殊サブフレームを使用して通信を行うかを説明し、また、以下に提供した方法は、図1及び図2に対応する実施例に適用する。
【００３８】
先ず、従来のLTE  TDDシステム中の無線フレームを説明する。従来のLTE  TDDシステム中で、無線フレーム長さが10msであり、サブフレーム長さがlmsであり、１個の無線フレームが10個のサブフレームを含み、各サブフレームが下りサブフレーム、上りサブフレーム及び特殊サブフレームとして構成され得る。サイクリックプレフィックスの構成に基づいて、１個のサブフレームは、12個又は14個のOFDMシンボルを含むことができる。１個の下りサブフレーム又は１個の上りサブフレームは、２個の長さが0.5msであるタイムスロットからなり、さらに、各タイムスロットは6個又は7個のOFDMシンボルを含む。１個の特殊サブフレームは、DwPTS(Downlink  Pilot  Slot）、GP(Guard  Period）及びUpPTS(Uplink  Pilot  Slot）の３つの部分からなり、各部分の長さは、基地局により構成され得るが、この３つの部分の総長さは、１個のサブフレームの長さ、即ち、lmsである。表2に示すのは、LTE  TDDのバージョン8のシステムがサポートする特殊サブフレームのタイムスロット長さの構成であり、そのうち、OFDMシンボル数で表されるDwPTS及びUpPTSの長さを示し、GPの長さは、サブフレームの長さからDwPTSとUpPTSの長さの和を減算することで得ることができる。表2中では、タイムスロット長さはOFDMシンボル数で表される。
【００３９】
表2は、LTE  TDDのバージョン8のシステムがサポートする特殊サブフレームタイムスロット長さの構成である。
【表２】
2015523785.tif 000004
【００４０】
第一サブフレームの構成を有する第一無線フレームには、N-1個の下りサブフレーム及び１個の特殊サブフレームを含むが、上りサブフレームがない。特殊サブフレームは、DwPTS、GP及びUpPTSの３つの部分からなり、この時に、上り信号は、上りパイロット（Pilot）タイムスロットのみにより送信され得る。例えば、第一無線フレーム上で、基地局は、第一無線フレーム中の特殊サブフレームの上りパイロットタイムスロットにより、端末が送信した上り制御情報及び／又は上りデータを受信し、そのうち、上り制御情報は、上り応答情報、スケジューリング要求、チャネル状態情報などの情報のうちの少なくとも１種を含む。さらに、チャネル状態情報は、チャネル品質指示、ランク指示、プリコーディングマトリックス指示などの情報を含む。上り制御情報は、物理上り制御チャネル（Physical  Uplink  Control  Channel、PUCCH)又は物理上り共用チャネル(Physical  Uplink  Shared  Channel、PUSCH)により伝送されてもよく、上りデータは、PUSCHにより伝送される。また、例えば、第一無線フレーム上で、特殊サブフレーム中のGP中のリソースにより、基地局は、基地局の間又は基地局と端末との間において干渉測定を行うために、リスニング信号（測定用信号（又は、Sounding  Signal））を送信し又はリスニング信号を受信する。この場合、リスニング信号送信時に、基地局は、周囲の他の基地局にリスニング信号を送信してもよく、周囲の端末にリスニング信号を送信してもよく、リスニング信号受信時に、基地局が受信したリスニング信号は、周囲の他の基地局が送信したものであっても良く、周囲の端末が送信したものであってもよい。
【００４１】
以下、第一無線フレーム中の特殊サブフレームのタイムスロット長さの構成について説明する。
【００４２】
好ましくは、少なくとも１個の第一無線フレーム上の特殊サブフレームのタイムスロット長さは、以下の条件を満足し、即ち、UpPTSの長さは、サブフレーム長の半分であり、DwPTSとGPの長さの和も、サブフレーム長の半分である。好ましくは、第一無線フレーム上の特殊サブフレームのタイムスロット長さの少なくとも１種の構成は、表2に示すようなLTE  TDDのバージョン8に規定の特殊サブフレームのタイムスロット長さの構成の１つである。第一無線フレーム中の特殊サブフレームのタイムスロット長さは、基地局にりり構成されて端末に送信されてもよい。
【００４３】
表2から分かるように、LTE  TDDのバージョン8のシステム中で、特殊サブフレームのUpPTS長さは、1個又は2個のOFDMシンボルとして構成され得る。従来のLTE  TDDシステム中で、UpPTSは、SRS（Sounding  Reference  Signal)又は短RACH(Random  Access  Channel)の受信のために用いられ得るが、基地局が上りパイロットタイムスロットで上り制御情報及び／又は上りデータを受信することをサポートするために用いることができない。第一サブフレームの構成を採用する第一無線フレームについては、以下に提供する実施例により、第一無線フレーム上の特殊サブフレーム中の上りパイロットタイムスロットで上り制御情報及び／又は上りデータを伝送することを有効にサポートすることができる。
【００４４】
キャリアアグリゲーション及びキャリアアグリゲーションが構成されていないシナリオ中で、第一無線フレーム上の特殊サブフレームのタイムスロット長さの構成は、UpPTSの長さがサブフレーム長さの半分であり、DwPTSとGPの長さの和もサブフレーム長さの半分であることを満足する時に、特殊サブフレームの上りパイロットタイムスロット上で上り制御情報及び上りデータの伝送を実現する１種の方法は次のようであり、即ち、UpPTS上で、PUCCH及びPUSCHは、従来のLTEシステムのPUCCH及びPUSCHの１個のサブフレームの第二個のタイムスロット中のチャネル構成を再利用することができる。従来のLTEシステム中で、PUCCH及びPUSCHのチャネル構成及び情報キャリー（Carry）方式の具体的な説明は、文献"3GPP  TS  36.211  vlO.4.0、Evolved  Universal  Terrestrial  Radio  Access(E-UTRA)、Physical  Channels  and  Modulation(Release10)"を参照することができるので、ここでは詳しい説明を省略する。特に、上り制御情報が上り応答情報及びチャネル状態情報中の少なくとも１種を含み、且つ、UpPTSがPUCCHにより伝送される時に、PUCCHのチャネル構成は、LTEのバージョン10に定義のPUCCHフォーマット3のサブフレームの第二個タイムスロット中のチャネル構成であり、上り制御情報もサブフレームの第二個タイムスロットのみでマッピングされる。LTEのバージョン10中で、多種フォーマットのPUCCHが定義されており、PUCCHフォーマットl/la/lb、PUCCHフォーマット2/2a/2b及びPUCCHフォーマット3を含み、特に、上り制御情報及び／又は上りデータがUpPTSでPUSCHにより伝送される時に、上り制御情報及び／又は上りデータは、サブフレームの第二個タイムスロット中でLTEシステムに定義のマッピング規則でPUSCHにマッピングされ得る。
【００４５】
本発明の実施例は更に、特殊サブフレームの上りパイロットタイムスロット上で上り制御情報を伝送するために用いる新しいPUCCHチャネル構成を提供する。新しいPUCCHチャネルは、第一無線フレーム上の特殊サブフレームのUpPTS中に位置し、１個の新しいPUCCHチャネルは、時間領域で１個のOFDMシンボルのみを占用し、周波数領域で１個又は複数のリソースブロック（Resource  Block、RB)ユニットを占用し、１個のRBユニットは、K個の連続のRBを含み、各RBユニットは１個の変調シンボルを伝送する。新しいPUCCHチャネルは、時間領域で１個のOFDMシンボルのみを占用するが、周波数領域で占用する複数のRBユニットにより、上り制御情報の複数の変調シンボルを送信することもできる。好ましくはK=lであり、又は、Κは4の倍数である。各RBユニットが１個の変調シンボルを伝送するので、新しいPUCCHチャネルが周波数領域で占用するRBユニットの数は、上り制御情報のコーディング変調後の変調シンボル数、及び、上り参照信号（Reference  Signal、RS)が占用する変調シンボル数に頼る。上り参照信号は、上りチャネル推定のために用いられ、上り参照信号を送信するRBユニット中では、１個の値が既知である変調シンボルを伝送することができ、例えば、常に、常数変調シンボル1を伝送する。LTEシステム中で、１個のRBは、周波数領域での幅が180kHzであり、12個の連続のサブキャリアからなり、各サブキャリアのバンド幅は、15kHzである。各RBユニットでは、それ相応の長さのCAZAC(Constant  Amplitude  Zero  Auto-Correlation)シーケンスと、伝送しようとする変調シンボルとの積（乗算）を用いて、伝送しようとする変調シンボルに対して処理を行う。例えば、１個のRBユニットがK=4個の連続のRBからなる時に、それ相応のCAZACシーケンスの長さは、12*4=48である。
【００４６】
第一無線フレーム中の特殊サブフレームのタイムスロット長さが、LTE  TDDのバージョン8に規定の１種の特殊サブフレームのタイムスロットの長さの構成である時に、UpPTS上では、本発明の実施例による新しいPUCCHチャネル構成を用いて上り制御情報及び／又は上りデータを送信してもよい。第一無線フレーム上の特殊サブフレームのタイムスロットの長さの構成は、UpPTSの長さがサブフレーム長の半分であり、DwPTSとGPの長さの和もサブフレーム長の半分であることを満足する時に、UpPTS上では、本発明の実施例による新しいPUCCHチャネル構成を用いて上り制御情報及び／又は上りデータを送信しても良い。
【００４７】
上り制御情報がスケジューリング要求である時に、その携帯する情報は、１個の変調シンボルで伝送することができるため、新しいPUCCHチャネル構成は、周波数領域で1個のRBユニットのみを占用してもよい。上り制御情報が上り応答情報及びチャネル状態情報のうちの少なくとも１種を含む時に、好ましくは、上り制御情報のコーディング変調後に10個の変調シンボルを取得し、新しいPUCCHチャネル構成が周波数領域で10個よりも多いRBユニットを占用し、そのうち、10個のRBユニットはそれぞれ10個の上り制御情報の変調シンボルを伝送するために用いられ、残りのRBユニットは、上り参照信号を伝送するために用いられる。システム設計の簡略化を考慮すれば、好ましくは、全ての上り制御情報について、UpPTS上で定義の新しいPUCCHチャネル構成が周波数領域で同じ個数のRBユニットを占用する。この時に、スケジューリング要求について、全てのRBユニット上で同じ変調シンボルを送信してもよい。図3Aに示すように、K=l、即ち、各RBユニットが１個のRBを占用することを例として、１種の新しいPUCCHチャネル構成の例を示しており、そのうち、新しいPUCCHチャネルは、周波数領域で12個のRBユニット、即ち、RB0〜RB11を占用する。１個のRBは、周波数領域で12個のサブキャリアからなり、各RBユニットは、１個のRBを占用し、よって、CAZACシーケンスの長さは12である。即ち、上り制御情報のコーディング変調後に得られた10個の変調シンボルは、S0、Sl、S2、S3、S4、S5、S6、S7、S8、S9であり、新しいPUCCHの周波数領域でのチャネル構成は、図3Aに示すようであり、RB0、RB1、RB2、RB4、RB5、RB6、RB7、RB9、RB10及びRB11は、変調シンボルの伝送のために用いられ、RB3及びRB8は、上り参照信号の伝送のために用いられる。
【００４８】
LTE  TDDシステムはキャリアアグリゲーション技術をサポートする。基地局は、端末のために１個よりも多いCC(Component  Carrier)を構成して、通信を行うことができ、そのうち、１個のPrimary  CC(Primary  Component  Carrier；Primary  Cell)及び少なくとも１個のSecondary  CC(Secondary  Component  Carrier；Secondary  Cell)を含む。キャリアアグリゲーションの場合、第一無線フレーム中の特殊サブフレームのタイムスロット長さの構成がLTE  TDDのバージョン8に定義の１種の特殊サブフレームのタイムスロット長さの構成である時に、好ましくは、基地局は、Primary  CCではなく、Secondary  CCのみで第一無線フレームを構成して使用して、端末と通信を行う。よって、キャリアアグリゲーションの時に、第一無線フレーム中の特殊サブフレームのタイムスロット長さの構成がLTE  TDDのバージョン8に定義の１種の特殊サブフレームのタイムスロット長さの構成である時に、基地局は、Secondary  CCの第一無線フレーム上で第一サブフレームの構成を採用して端末と通信を行い、基地局は、Primary  CC上で端末にSecondary  CCの上り制御情報を送信する。第一無線フレームの特殊サブフレーム中のUpPTS上で上述の新しいPUCCHチャネル構成を定義していれば、第一無線フレーム中の特殊サブフレームのタイムスロット長さの構成がLTE  TDDのバージョン8に定義の１種の特殊サブフレームタイムスロット長さの構成であっても、この時に、基地局は、Primary  CC上でも、Secondary  CC上でも、第一無線フレームを構成及び使用して、端末と通信を行うことができる。
【００４９】
キャリアアグリゲーションのシナリオの下で、第一無線フレーム中の特殊サブフレームのタイムスロット長さの構成が以下の条件を満足ずる時に、即ち、UpPTSの長さがサブフレームの長さの半分であり、DwPTSとGPの長さの和もサブフレーム長の半分であることを満足する時に、基地局は、Primary  CC上で第一無線フレームを構成及び使用してもよく、Secondary  CC上で第一無線フレームを構成及び使用してもよい。
【００５０】
LTE  TDDシステムが１つの絶えずに進化しているシステムであり、動的サブフレーム機能をサポートする基地局も、早期バージョンの端末をサポートし得る必要がある。動的サブフレーム機能をサポートする進化端末については、動的サブフレーム機能の未起動時にも、基地局と通信し得ることを要する。以下、早期バージョンの機能特性のみをサポートし得る端末を早期端末と称し、例えば、表1中のサブフレームの構成0乃至サブフレームの構成6のみをサポートする端末は、早期端末であり、動的サブフレーム及び第一無線フレームをサポートし得る端末を進化端末と称する。基地局について言えば、早期端末及び進化端末に同時に通信サービスを提供し得る能力を持つことが必要である。以下、基地局が如何に同時に早期端末及び進化端末を通信サービスを提供するかを説明する。
【００５１】
好ましくは、基地局が端末に構成通知情報を送信し、端末に、少なくとも１個の無線フレームを、第一サブフレームの構成に符合する第一無線フレームとして構成することを通知する前に、さらに、基地局がシステム情報により端末に第二無線フレーム構成情報を送信することを含み、第二無線フレーム構成情報は、端末に、少なくとも１個の無線フレーム構成を、第二サブフレームの構成に符合する第二無線フレームとして構成することを通知し、そのうち、第二サブフレームの構成に符合する第二無線フレームは、N-2個の下りサブフレーム、1個の特殊サブフレーム及び1個の上りサブフレームを含み、そのうち、時間上で、第一無線フレーム中の特殊サブフレームと、第二無線フレーム中の上りサブフレームとが対応（アライメント）し、第一無線フレーム中の特殊サブフレームの前の下りサブフレームと、第二無線フレーム中の特殊サブフレームとが対応する。
【００５２】
第二無線フレーム構成情報は、基地局が全ての端末に送信するものであり、LTE  TDDのバージョン8のシステムにおけるサブフレームの構成の通知方法を再利用してもよく、即ち、システム情報のブロック1に携帯のサブフレームの構成指示フィールド中で、端末に、表1中のサブフレームの構成5を使用することを通知し、即ち、無線フレーム中には、8個の下りサブフレーム、1個の特殊サブフレーム及び1個の上りサブフレームを含む。第一無線フレームを構成する構成通知情報については、早期端末は、受信及び解析することができず、基地局は、一部又は全部の進化端末のみに通知する必要がある。早期端末は、第二サブフレームの構成を用いて基地局と通信を行い、進化端末は、第一無線フレームを構成する構成通知情報を受信した後のみのに、第一無線フレーム上で、第一サブフレームの構成を用いて基地局と通信を行う。第一無線フレーム内では、基地局は、第一サブフレームの構成を用いて全ての端末と通信を行うが、基地局は、第一サブフレームの構成を第二サブフレームの構成と偽装して、早期端末と通信を行うこともでき、これは、第一サブフレームの構成中の特殊サブフレームと、第二サブフレーム比中の上りサブフレームとの時間上でのアライメント、及び、第一サブフレームの構成中の特殊サブフレームの前の下りサブフレームと、第二サブフレームの構成中の特殊サブフレームとの時間上でのアライメントにより実現され得る。
【００５３】
図3Bは、本発明の実施例による、10個のサブフレームを含む第一無線フレーム上での早期端末と進化端末とのサブフレームの構成を示す図。第一無線フレーム上では、サブフレームの構成7、即ち、サブフレームの構成9D:1S：0Uは、第一サブフレームの構成であり、LTE規格のバージョン8乃至バージョン10中には定義されていない。第二サブフレームの構成は、具体的に、LTE規格のバージョン8乃至バージョン10に定義の表1に示すようなサブフレームの構成5である。そのうち、時間上で、サブフレームの構成7中の特殊サブフレームと、サブフレームの構成5中の上りサブフレームとが対応（アライメント）し、即ち、無線フレーム中には同じサブフレーム索引2を有し、サブフレームの構成7中の特殊サブフレームの前の下りサブフレームと、サブフレームの構成5中の特殊サブフレームとが対応し、即ち、無線フレームには同じサブフレーム索引1を有する。よって、サブフレーム2は、早期端末により、上りサブフレームと見なされ、第一無線フレームを構成している進化端末により、特殊サブフレームと見なされ、また、同様に、サブフレーム1は、早期端末により、特殊サブフレームと見なされ、第一無線フレームを構成している進化端末により、下りサブフレームと見なされる。このように、基地局は、第一サブフレームの構成を用いて、早期端末及び第一無線フレームを構成している進化端末に同時に通信サービスを提供することができる。
【００５４】
早期端末及び進化端末に通信サービスをより良く同時に提供するために、好ましくは、第一サブフレームの構成を送信する時に、第一サブフレームの構成中の１個の特殊サブフレームのために第一タイムスロット長さの構成を通知し、第一タイムスロット長さの構成中の上りパイロットタイムスロットの長さがサブフレーム長の半分であり、また、第二サブフレームの構成を通知する時に、第二サブフレームの構成中の１個の特殊サブフレームのために第二タイムスロット長さの構成を通知し、第二タイムスロット長さの構成は、LTE  TDDのバージョン8に定義の特殊サブフレームのタイムスロット長さの構成の１つである。例えば、基地局は、システム情報ブロック1に携帯のサブフレームの構成指示フィールドにより、端末に、表1中のサブフレームの構成5の使用をブロードキャストし、即ち、無線フレーム中には、8個の下りサブフレーム、1個の特殊サブフレーム及び1個の上りサブフレームを含み、システム情報ブロック1に携帯の特殊サブフレームのタイムスロット長さ構成指示フィールドにより、端末に、第二タイムスロット長さ構成をブロードキャストし、そのうち、第二タイムスロット長さ構成は、LTE  TDDのバージョン8に定義の特殊サブフレームタイムスロット長さ構成の１つである。基地局は、さらに、他のシグナリングにより、進化端末に、第一サブフレームの構成、及び、第一無線フレーム中の特殊サブフレームの第一タイムスロット長さ構成を通知し、この他のシグナリングは、他のシステム情報、無線リソース制御情報及び物理層制御情報のうちの１種又は組み合わせであってもよい。第一サブフレームの構成及び第一タイムスロット長さ構成が通知されている進化端末について、第一無線フレーム以外の他の無線フレームにおいては、特殊サブフレームタイムスロット長さ構成は、第二タイムスロット長さ構成を採用してもよく、第一タイムスロット長さ構成を採用してもよく、また、具体的にどの種のタイムスロット長さ構成を採用するかは、協議に規定されれば良い。
【００５５】
第一サブフレームの構成が通知されていない端末、即ち、第二サブフレームの構成を採用する端末については、基地局は、第一無線フレーム上で、特殊サブフレームの上りPilotタイムスロットにより、第二サブフレームの構成を採用する端末が送信した上り信号を受信する。
【００５６】
第一無線フレーム内で、第一サブフレームの構成が通知されていないユーザ端末、例えば、早期端末については、基地局が図3Bに示すサブフレームの対応方式で第一サブフレームの構成を第二サブフレームの構成と偽装して早期端末と通信を行えるが、実際には、基地局が使用するのは、依然として第一サブフレームの構成である。図3Bに示すように、早期端末のサブフレームの構成5が：8D:1S:1Uであり、サブフレーム2が上りサブフレームUと見なされ、そのため、サブフレーム2の２個のタイムスロット上ですべて上り信号を送信することができるが、進化端末及び基地局のサブフレームの構成7が9D:1S:0Uであり、サブフレーム2が特殊サブフレームと見なされ、該特殊サブフレームのUpPTSの長さがサブフレーム長の半分であり、且つ、DwPTSとGPの総長さもサブフレーム長の半分であり、また、基地局がさらに早期端末がサブフレーム2を上りサブフレームと見なしていることをも把握し、そのため、基地局は、該特殊サブフレームの第二個タイムスロットのみにより早期端末が送信した上り信号を受信し、進化端末は、該特殊サブフレームの第二個タイムスロットのみにより上り信号を送信する。
【００５７】
第一サブフレームの構成を有する第一無線フレーム上で、第一サブフレームの構成中の特殊サブフレームを参照サブフレームとし、基地局は、該参照サブフレームから前への第１個の下りサブフレーム及び第二個の下りサブフレーム、及び、該参照サブフレームから後への第三個の下りサブフレーム及び第四個の下りサブフレーム上で、端末に、システム情報及び同期情報を送信する。システム情報及び同期情報は、基地局が全ての端末に送信するのもである。図3Bに示すように、サブフレーム2は、第一サブフレームの構成中の特殊サブフレームであり、サブフレーム2を参照サブフレームとし、参照サブフレームから前への第１個及び第二個の下りサブフレームはそれぞれサブフレーム1及びサブフレーム0であり、参照サブフレームから後への第三個及び第四個の下りサブフレームはそれぞれサブフレーム5及びサブフレーム6であり、即ち、基地局は、第一無線フレームのサブフレーム0、サブフレーム1、サブフレーム5及びサブフレーム6上で物理ブロードキャスト信号及び同期信号を送信することができる。
【００５８】
上述の方法により、基地局は、サブフレームの構成5、即ち、8D:1S:1U及びそのうちの特殊サブフレームにより、早期端末に無線通信サービスを提供し、サブフレームの構成7、即ち、9D:1S:0U及びそのうちの特殊サブフレームにより、進化端末に無線通信サービスを提供し、即ち、基地局が、第一サブフレームの構成を有する第一無線フレームを用いて、早期端末及び進化端末に同時に通信サービスを提供することは実現されている。
【００５９】
図4は、本発明の実施例による他の無線通信方法のフローチャートである。図4に示すように、本実施例による方法は、次のステップを含む。
【００６０】
ステップ41:端末が基地局により送信された構成通知情報を受信し、構成通知情報は、端末に、少なくとも１個の無線フレームを、第一サブフレームの構成に符合する第一無線フレームとして構成することを通知するために用いられ、第一サブフレームの構成に符合する第一無線フレームは、N-1個の下りサブフレーム、１個の特殊サブフレーム及びゼロ個の上りサブフレームを含み、Nは、１個の無線フレームが含むサブフレームの総数であり、且つ、Nは、１個の1よりも大きい自然数である。
【００６１】
端末に、少なくとも１個の無線フレームを、第一サブフレームの構成に符合する第一無線フレームとして構成させるために、１種の好ましい実施方式は、次のようであり、即ち、端末は、先ず、基地局により送信された第一無線フレーム構成情報を受信し、第一無線フレーム構成情報は、端末に、少なくとも１個の無線フレームを、n個の下りサブフレーム及びN-n個動的サブフレームを含む第三無線フレームとして構成し、又は、n-1個の下りサブフレーム、１個の特殊サブフレーム及びN-n個の動的サブフレームを含む第三無線フレームとして構成することを通知し、そのうち、nは、Nよりも小さい自然数。その後、端末は、基地局により送信された第一動的サブフレーム指示情報を受信し、第一動的サブフレーム指示情報は、端末に、少なくとも１個の第三無線フレーム上で各動的サブフレームの伝送方向を指示し、少なくとも１個の第三無線フレームを、第一サブフレームの構成に符合する第一無線フレームとして構成させるために用いられる。
【００６２】
さらに、第一無線フレーム中の特殊サブフレームは、次のような条件を満足してもよく、即ち、第一無線フレーム中の特殊サブフレームは、下りパイロットタイムスロット、GP及び上りパイロットタイムスロットの３つの部分からなり、上りパイロットタイムスロットの長さはサブフレームの長さの半分であり、又は、第一無線フレーム中の特殊サブフレームのタイムスロット長さの少なくとも１種の構成は、LTE  TDD  version８に規定の特殊フレームライムスロットの長さの１つである。
【００６３】
ステップ42:端末が前記構成通知情報に基づいて、少なくとも１個の無線フレームを第一サブフレームの構成に符合する第一無線フレームとして構成した後に、第一無線フレーム上で、端末は、第一サブフレームの構成を採用して基地局と通信を行う。
【００６４】
例えば、第一無線フレーム上で、端末は、特殊サブフレーム中の上りパイロットタイムスロットにより、基地局に上り制御情報及び／又は上りデータを送信し、上り制御情報は、上り応答情報、スケジューリング要求及びチャネル状態情報中の少なくとも１種を含む。また、例えば、第一無線フレーム上で、特殊サブフレーム中のGP中のリソースにより、端末は、リスニング信号の送信又はリスニング信号の受信を行う。リスニング信号送信時に、端末は、周囲の基地局にリスニング信号を送信しても良く、周囲の他の端末にリスニング信号を送信してもよく、リスニング信号受信時に、端末が受信するリスニング信号は、周囲の基地局が送信するものであってよく、周囲の他の端末が送信するものであってもよい。
【００６５】
端末が第一無線フレームにより基地局と通信を行う時に、第一無線フレーム中の特殊サブフレーム中の上りパイロットタイムスロットにより上り制御情報を送信するチャネルは、時間領域で１個のOFDMシンボルを占用し、周波数領域で１個又は複数のリソースブロックユニットを占用し、各リソースブロックユニットは、１個の変調シンボルを伝送し、リソースブロックユニットは、１個又は複数の連続のリソースブロックを含む。端末が第一無線フレーム中の特殊サブフレーム中の上りパイロットタイムスロットにより送信する上り制御情報のチャネルは上述の新しい構成を採用する時に、第一無線フレーム中の特殊サブフレームのタイムスロット長さはサブフレーム長さの半分であり、或いは、第一無線フレーム中の特殊サブフレームのタイムスロット長さの少なくとも１種の構成は、LTE  TDDバージョン8に規定の特殊サブフレームタイムスロット長さの１つに符合する。好ましくは、第一無線フレーム中の特殊サブフレームの少なくとも１種のタイムスロット長さの構成は、LTE  TDDバージョン8に規定の特殊サブフレームタイムスロット長さの１つに符合する。
【００６６】
LTE  TDDシステムであり且つN＝10である場合、端末が基地局により送信される構成通知情報を受信する前に、端末は更に、基地局により送信される第二無線フレーム構成情報を受信し、第二無線フレーム構成情報は、端末に、少なくとも１個の無線フレームを、第二サブフレームの構成に符合する第二無線フレームとして構成することを通知し、第二サブフレームの構成に符合する第二無線フレームは、N-2個の下りサブフレーム、１個の特殊サブフレーム及び１個の上りサブフレームを含み、そのうち、時間上では、第一無線フレーム中の特殊サブフレームと、第二無線フレーム中の上りサブフレームとが対応し、第一無線フレーム中の特殊サブフレームの前の下りサブフレームと、第二無線フレーム中の特殊サブフレームとが対応する。さらに、第二無線フレーム中の特殊サブフレームタイムスロット長さの構成は、LTE  TDDバージョン8に定義の特殊サブフレームタイムスロット長さの１つであり、第一無線フレーム中の特殊サブフレームの上りPilotタイムスロットの長さは、サブフレーム長さの半分である。第二サブフレームの構成を採用する端末は、第二無線フレームの上りサブフレームの時刻に、該サブフレームを１個の普通の上りサブフレームとし、サブフレームの２個のタイムスロットを用いて基地局に上り信号を送信する。しかし、基地局は、第二無線フレームの上りサブフレームの時刻が第一無線フレーム上の特殊サブフレームの時刻であることを知り、そのため、第一無線フレーム中で、該サブフレームの第二個のタイムスロットのみにより、これらの第二サブフレームの構成を採用する端末が送信した上り信号を受信する。
【００６７】
上述の説明は、図1、図2、図3A及び図3Bに対応する実施例中の説明を参照することができるため、ここでは詳しい説明を省略する。
【００６８】
図5は、本発明の実施例による基地局の構成を示す図である。図5に示すように、本実施例による基地局は、送信モジュール51及び通信モジュール52を含む。
【００６９】
送信モジュール51は、端末に構成通知情報を送信するために用いられ、構成通知情報は、端末に、少なくとも１個の無線フレームを、第一サブフレームの構成に符合する第一無線フレームとして構成することを通知するために用いられ、第一サブフレームの構成に符合する第一無線フレームは、N-1個の下りサブフレーム、１個の特殊サブフレーム及びゼロ個の上りサブフレームを含み、Nは、１個の無線フレームが含むサブフレームの総数であり、且つ、Nは、１個の1よりも大きい自然数である。
【００７０】
端末に、少なくとも１個の無線フレームを、第一サブフレームの構成に符合する第一無線フレームとして構成させるために、１種の好ましい実施方式は、次のようであり、即ち、送信モジュールは、具体的に端末に第一無線フレーム構成情報を送信するために用いられ、第一無線フレーム構成情報は、端末に、少なくとも１個の無線フレームを、n個下りサブフレーム及びN-n個動的サブフレームを含む第三無線フレームを構成し、又は、ｎ-1個の下りサブフレーム、１個の特殊サブフレーム及びN-n個動的サブフレームを含む第三無線フレームとして構成することを通知し、そのうち、ｎは、Nよりも小さい自然数である。送信モジュールは更に具体的に、端末に第一動的サブフレーム指示情報を送信するために用いられ、第一動的サブフレーム指示情報は、端末に、少なくとも１個の第三無線フレーム上での各動的サブフレームの伝送方向を指示し、少なくとも１個の第三無線フレームを、第一サブフレームの構成に符合する第一無線フレームとして構成させるために用いられる。
【００７１】
さらに、第一無線フレーム中の特殊サブフレームは、次のような条件を満足してもよく、即ち、第一無線フレーム中の特殊サブフレームは、下りパイロットタイムスロット、GP及び上りパイロットタイムスロットの３つの部分からなり、上りパイロットタイムスロットの長さは、サブフレームの長さの半分であり、又は、第一無線フレーム中の特殊サブフレームのタイムスロット長さの少なく１種の構成は、LTE  TDD  Version８に規定の特殊サブフレーム長さの１つに符合する。
【００７２】
通信モジュールが、特殊サブフレーム中の上りパイロットタイムスロットにより上り制御情報を受信するチャネルは、時間領域で１個のOFDMシンボルを占用し、周波数領域で１個又は複数のリソースブロックユニットを占用し、各リソースブロックユニットは、１個の変調シンボルを伝送し、リソースブロックユニットは、１個又は複数の連続のリソースブロックを含む。
【００７３】
通信モジュール52は、第一無線フレーム上で、基地局が第一サブフレームの構成を採用して端末と通信を行うために用いられる。
【００７４】
例えば、通信モジュールは、具体的に、第一無線フレーム上で、特殊サブフレーム中の上りパイロットタイムスロットにより、端末が送信した上り制御情報及び/又は上りデータを受信し、上り制御情報は、上り応答情報、スケジューリング要求及びチャネル状態情報中の少なくとも１種を含む。
【００７５】
また、例えば、通信モジュールは、具体的に、第一無線フレーム上で、特殊サブフレーム中のGP中のリソースにより、リスニング信号を送信し又はリスニング信号を受信する。
【００７６】
基地局が第一無線フレームにより端末と通信を行う時に、第一無線フレーム中の特殊サブフレーム中の上りパイロットタイムスロットによって上り制御情報を送信するチャネルは、時間領域で１個のOFDMシンボルを占用し、周波数領域で１個又は複数のリソースブロックユニットを占用し、各リソースブロックユニットは１個の変調シンボルを伝送し、リソースブロックユニットは１個又は複数の連続のリソースブロックを含む。端末が第一無線フレーム中の特殊サブフレーム中の上りパイロットタイムスロットにより送信する上り制御情報のチャネルは上述の新しい構成を採用する時に、第一無線フレーム中の特殊サブフレームの上りPilotタイムスロット長さは、サブフレーム長さの半分であり、或いは、第一無線フレーム中の特殊サブフレームのタイムスロット長さの少なくとも１種の構成は、LTE  TDDバージョン8に規定の特殊サブフレームタイムスロット長さの１つに符合する。好ましくは、第一無線フレーム中の特殊サブフレームの少なくとも１種のタイムスロット長さの構成は、LTE  TDDバージョン8に規定の特殊サブフレームタイムスロット長さの１つに符合する。
【００７７】
LTE  TDDシステムであり且つN＝10である場合、送信モジュールは更に、具体的に、LTE  TDDシステムであり且つN＝10である場合に、基地局が端末に構成通知情報を送信する前に、端末に第二無線フレーム構成情報を送信するために用いられ、第二無線フレーム構成情報は、端末に、少なくとも１個の無線フレームを、第二サブフレームの構成に符合する第二無線フレームとして構成することを通知し、第二サブフレームの構成に符合する第二無線フレームは、N-2個の下りサブフレーム、１個の特殊サブフレーム及び１個の上りサブフレームを含み、そのうち、時間上では、第一無線フレーム中の特殊サブフレームと、第二無線フレーム中の上りサブフレームとが対応し、第一無線フレーム中の特殊サブフレームの前の下りサブフレームと、第二無線フレーム中の特殊サブフレームとが対応する。さらに、第二無線フレーム中の特殊サブフレームタイムスロット長さの構成は、LTE  TDDバージョン8に定義の特殊サブフレームタイムスロット長さの１つであり、第一無線フレーム中の特殊サブフレームの上りPilotタイムスロットの長さは、サブフレームの半分である。
【００７８】
上述の説明は、図1、図2、図3A及び図3Bに対応する実施例中の説明を参照することができるため、ここでは詳しい説明を省略する。
【００７９】
図6は、本発明の実施例による端末の構成を示す図である。図6に示すように、本実施例による端末は、受信モジュール61及び通信モジュール62及び構成モジュール63を含む。
【００８０】
受信モジュール61は、基地局が送信した構成通知情報を受信するために用いられ、構成通知情報は、端末に、少なくとも１個の無線フレームを、第一サブフレームの構成に符合する第一無線フレームとして構成するように通知し、第一サブフレームの構成に符合する第一無線フレームは、N-1個の下りサブフレーム、１個の特殊サブフレーム及びゼロ個の上りサブフレームを含み、Nは、１個の無線フレームが含むサブフレームの総数であり、且つ、Nは、１個の1よりも大きい自然数である。
【００８１】
構成モジュール63は、前記構成通知情報に基づいて、少なくとも１個の無線フレーム構成を、第一サブフレームの構成に符合する第一無線フレームとして構成するために用いられる。
【００８２】
端末に、少なくとも１個の無線フレームを、第一サブフレームの構成に符合する第一無線フレームを構成させるために、１種の好ましい実施方式は、次のようであり、即ち、受信モジュールは、具体的に、基地局が送信した第一無線フレーム構成情報を受信するために用いられ、第一無線フレーム構成情報は、端末に、少なくとも１個の無線フレームを、n個の下りサブフレーム及びN-n個の動的サブフレームを含む第三無線フレームを構成し、又は、ｎ-1個の下りサブフレーム、１個の特殊サブフレーム及びN-n個動的サブフレームを含む第三無線フレームとして構成するように通知し、そのうち、nは、Nよりも小さい自然数である。受信モジュールは更に具体的に、基地局が送信した第一動的サブフレーム指示情報を受信するために用いられ、第一動的サブフレーム指示情報は、端末に、少なくとも１個の第三無線フレーム上での各動的サブフレームの伝送方向を指示し、少なくとも１個の第三無線フレームを、第一サブフレームの構成に符合する第一無線フレームとして構成させるために用いられる。
【００８３】
通信モジュール62は、第一無線フレーム上で、第一サブフレームの構成を採用して基地局と通信を行うために用いられる。
【００８４】
例えば、通信モジュールは、具体的に、第一無線フレーム上で、特殊サブフレーム中の上りパイロットタイムスロットによって基地局に上り制御情報及び/又は上りデータを送信するために用いられ、上り制御情報は、上り応答情報、スケジューリング要求及びチャネル状態情報中の少なくとも１種を含む。また、例えば、通信モジュールは、具体的に、第一無線フレーム上で、特殊サブフレーム中のGP中のリソースによって、リスニング信号を送信し又はリスニング信号を受信するために用いられる。
【００８５】
上述のように、LTE  TDDシステムが１個の絶えずに進化しているシステムであり、動的サブフレーム機能をサポートする基地局も、早期バージョンの端末をサポートする必要がある。動的サブフレーム機能をサポートする進化端末については、動的サブフレーム機能未起動時に、基地局と通信を行うこともできる必要がある。さらに、受信モジュールは更に、具体的に、基地局が送信する構成通知情報を受信する前に、LTE  TDDシステムであり且つN＝10である場合、端末が基地局により送信された第二無線フレーム構成情報を受信するために用いられ、第二無線フレーム構成情報は、端末に、少なくとも１個の無線フレーム構成を第二サブフレームの構成に符合する第二無線フレームとして構成するように通知するために用いられ、第二サブフレームの構成に符合する第二無線フレームは、N-2個下りサブフレーム、１個の特殊サブフレーム及び１個の上りサブフレームを含み、そのうち、時間上では、第一無線フレーム中の特殊サブフレームと、第二無線フレーム中の上りサブフレームとが対応し、第一無線フレーム中の特殊サブフレームの前の下りサブフレームと、第二無線フレーム中の特殊サブフレームとが対応する。さらに、第二無線フレーム中の特殊サブフレームタイムスロット長さの構成は、LTE  TDDバージョン8に定義の特殊サブフレーム長さの１つであり、第一無線フレーム中の特殊サブフレームの上りPilotタイムスロット長さは、サブフレーム長さの半分である。
【００８６】
上述の説明は、図4に対応する実施例中の説明を参照することができるため、ここでは詳しい説明を省略する。
【００８７】
以下の図7A、図7B、図7C、図8乃至図10による実施例は、すべて、上りサービスを主とする端末のために新しいサブフレームの構成を構成する。
【００８８】
図7Aは、本発明の実施例による他の無線通信方法のフローチャートである。図7Aに示すように、本実施例による方法は、次のステップを含む。
【００８９】
ステップ71A:基地局が端末に第三無線フレーム構成情報を送信し、第三無線フレーム構成情報は、端末に、少なくとも１個の無線フレームを、n個の上りサブフレーム及びN-n個の動的サブフレームを含む第四無線フレームとして構成するように通知し、Nは、１個の無線フレームが含むサブフレームの総数であり、ｎは、Nよりも小さい自然数である。
【００９０】
基地局は、指定端末に、又は、セル内の全ての端末に、第三無線フレーム構成情報を送信してもよい。第三無線フレーム構成情報は、端末に、１個の無線フレーム又は複数の無線フレームを、n個の上りサブフレーム及びN-n個の動的サブフレームを含む第四無線フレームとして構成するように通知するために用いられる。好ましくは、本実施例は、上りサービスを主とする端末に対してサブフレームの構成を構成することに適用する。
【００９１】
ステップ72A:基地局が端末に第二動的サブフレーム指示情報を送信し、第二動的サブフレーム指示情報は、端末に、第四無線フレーム上での各動的サブフレームの伝送方向を指示し、少なくとも１個の第四無線フレーム構成を、第三サブフレームの構成に符合する第六無線フレームとして構成し、又は、少なくとも１個の第四無線フレームを、第四サブフレームの構成に符合する第七無線フレームとして構成させるために用いられ、そのうち、第三サブフレームの構成に符合する第六無線フレームは、ゼロ個の下りサブフレーム、ゼロ個の特殊サブフレーム及びN個の上りサブフレームを含み、第四サブフレームの構成に符合する第七無線フレームは、ゼロ個の下りサブフレーム、１個の特殊サブフレーム及びN-1個の上りサブフレームを含む。
【００９２】
基地局は、端末に第三無線フレーム構成情報を送信した後に、端末のサービスのニーズに応じて、端末に、第四無線フレーム上での動的サブフレームの伝送方向を調整して、第四無線フレームを、第三サブフレームの構成に符合する第六無線フレームとして構成させ、又は、第四サブフレームの構成に符合する第七無線フレームとして構成させるように、第二動的サブフレーム指示情報を送信する。第三サブフレームの構成に符合する第六無線フレームは、ゼロ個の下りサブフレーム、１個の特殊サブフレーム及びN-1個の上りサブフレームを含み、言い換えると、第六無線フレームのサブフレームの構成は、0D:OS:(N)Uである。第四サブフレームの構成に符合する第七無線フレームは、ゼロ個の下りサブフレーム、１個の特殊サブフレーム及びN-1個の上りサブフレームを含み、言い換えると、第七無線フレームのサブフレームの構成は、0D:1S:(N-1)Uである。第四無線フレームを、第四サブフレームの構成に符合する第七無線フレームとして構成する時に、第三無線フレーム構成情報は、第四無線フレーム中のN-n個の動的サブフレーム中の１個の動的サブフレームを、特殊サブフレームとして構成し、他の動的サブフレームを、すべて、上りサブフレームとして構成するのである。
【００９３】
ステップ73A:第六無線フレーム上で、基地局が第三サブフレームの構成を採用して端末と通信を行い、又は、第七無線フレーム上で、基地局が第四サブフレームの構成を採用して端末と通信を行う。
【００９４】
表1に示すように、従来のLTE  TDDに定義のサブフレームの構成0乃至サブフレームの構成6のうち、サブフレームの構成0が提供する上りサブフレームは最も多く、サブフレームの構成0は、上り伝送のために6個の上りサブフレームを提供し得る。表1中のサブフレームの構成8(0D:OS:10U)は、本発明による第三サブフレームの構成であり、サブフレームの構成8は、10個の上りサブフレームを提供することができ、表1中のサブフレームの構成9(0D:1S:9U)は、本発明による第四サブフレームの構成であり、サブフレームの構成8は、10個の上りサブフレームを提供することができ、サブフレームの構成9は、9個の上りサブフレームを提供することができ、そのため、第三サブフレームの構成及び第四サブフレームの構成はともに、使用可能な上り伝送リソースを顕著に増加させた。よって、上りリンクを主とするサービス、例えば、ビデオモニタリングにより良く適応することができる。
【００９５】
本実施例による方法では、少なくとも１個の無線フレーム上で動的サブフレームを構成し、その後、動的に、動的サブフレームの伝送方向を変更することで、動的サブフレームを構成している無線フレームを、ゼロ個の下りサブフレーム、ゼロ個の特殊サブフレーム及びN個の上りサブフレームを含み第六無線フレームとして構成させ、或いは、ゼロ個の下りサブフレーム、１個の特殊サブフレーム及びN-1個の上りサブフレームを含む第七無線フレームとして構成させる。基地局は、サブフレームの総数がNである第六無線フレーム上でN個の上りサブフレームを提供し、サブフレームの総数がNである第七無線フレーム上でN-1個の上りサブフレームを提供するので、上りサービスを主とする端末と通信を行う時に、第六無線フレーム上のサブフレームの構成を採用することで、無線リソースの浪費を低減し、上りサービスを主とする端末のニーズにより良く適応することができる。
【００９６】
図7Bは、本発明の実施例による他の無線通信方法のフローチャートである。図7Bに示すように、本実施例による方法は、次のステップを含む。
【００９７】
ステップ71B:基地局が端末に第三無線フレーム構成情報を送信し、第三無線フレーム構成情報は、端末に、少なくとも１個の無線フレームを、n-1個の上りサブフレーム、１個の特殊サブフレーム及びN-n個の動的サブフレームを含む第五無線フレームとして構成するように通知し、Nは、１個の無線フレームが含むサブフレームの総数であり、ｎは、Nよりも小さい自然数である。
【００９８】
基地局は、指定端末に、又は、セル内の全ての端末に第三無線フレーム構成情報を送信してもよい。第三無線フレーム構成情報は、端末に、１個の無線フレーム又は複数の無線フレームを、ｎ-1個の上りサブフレーム、１個の特殊サブフレーム及びN-n個の動的サブフレームを含む第五無線フレームとして構成するように通知するために用いられる。好ましくは、本実施例は、上りサービスを主とする端末のためのサブフレームの構成の構成に適用する。
【００９９】
ステップ72B:基地局が端末に第二動的サブフレーム指示情報を送信し、それは、端末に、第五無線フレーム上での各動的サブフレームの伝送方向を指示し、少なくとも１個の第五無線フレームを、第四サブフレームの構成に符合する第七無線フレームとして構成させるために用いられ、第四サブフレームの構成に符合する第七無線フレームは、ゼロ個の下りサブフレーム、１個の特殊サブフレーム及びN-1個の上りサブフレームを含む。
【０１００】
基地局は、端末に第三無線フレーム構成情報を送信した後に、端末のサービのスニーズに応じて、端末に、整第五無線フレーム上での動的サブフレームの伝送方向を調整して、第四無線フレームを第四サブフレームの構成に符合する第七無線フレームとして構成させるように、第二動的サブフレーム指示情報を送信する。第四サブフレームの構成
符合する第七無線フレームは、ゼロ個の下りサブフレーム、１個の特殊サブフレーム及びN個の上りサブフレームを含み、即ち、第七無線フレームのサブフレームの構成は、0D:1S:(N-1)Uである。第三無線フレーム構成情報は、第五無線フレームを第四サブフレームの構成に符合する第七無線フレームとして構成する時に、第五無線フレーム中のN-n個の動的サブフレームを全部上りサブフレームとして構成するのである。
【０１０１】
ステップ73B:第七無線フレーム上で、基地局が第四サブフレームの構成を採用して端末と通信を行う。
【０１０２】
表1に示すように、従来のLTE  TDDに定義のサブフレームの構成0乃至サブフレームの構成6のうち、サブフレームの構成0が提供する上りサブフレームは最も多く、サブフレームの構成0は、上り伝送のための6個の上りサブフレームを提供することができる。表1中のサブフレームの構成9(0D:1S:(N-1)U)は、本発明による新しいサブフレームの構成であり、サブフレームの構成9は、9個の上りサブフレームを提供することができるので、使用可能な上り伝送リソースを顕著に増加させた。よって、上りリンクを主とするのサービス、例えば、ビデオモニタリングにより良く適用することができる。
【０１０３】
さらに、第七無線フレーム上での特殊サブフレーム中のGP中のリソースにより、基地局は、リスニング信号を送信し又はリスニング信号を受信する。リスニング信号送信時に、基地局は、周囲の他の基地局にリスニング信号を送信してもよく、周囲の端末にリスニング信号を送信してもよく、リスニング信号を受信する時に、基地局が受信するリスニング信号は、周囲の他の基地局が送信したものあってもよく、周囲の端末が送信したものであってもよい。
【０１０４】
さらに、第七無線フレーム上で、基地局は、第七無線フレーム上での特殊サブフレームの下りパイロットタイムスロットによって、端末が送信した下り応答情報、下りスケジューリング情報及び下りデータのうちの少なくとも１種を受信する。
【０１０５】
本実施例による方法では、少なくとも１個の無線フレーム上で動的サブフレームを構成し、その後、動的に、動的サブフレームの伝送方向を変更することで、動的サブフレームを構成している無線フレームを、ゼロ個の下りサブフレーム、ゼロ個の特殊サブフレーム及びN-1個の上りサブフレームを含む第七無線フレームとして構成させる。基地局は、サブフレームの総数がNである第七無線フレーム上でN-1個の上りサブフレームを提供し、よって、上りサービスを主とする端末と通信を行う時に、第七無線フレーム上のサブフレームの構成を採用することで、無線リソースの浪費を低減することができ、上りサービスを主とする端末のニーズにより良く適応することができる。
【０１０６】
好ましくは、図7Aによる実施例及び図7Bによる実施例中では、キャリアアグリゲーションの時に、基地局は、少なくとも１個のSecondary  CCにより、端末に第三無線フレーム構成情報及び第二動的サブフレーム指示情報を送信し、基地局は、Secondary  CC上での第六無線フレームで、第三サブフレームの構成を採用して端末と通信を行い、或いは、基地局は、Secondary  CC上での第七無線フレームで、第四サブフレームの構成を採用して端末と通信を行う。また、基地局は、Secondary  CC以外の他のキャリア上で端末に以下の情報の１個又は複数の任意の組み合わせを送信し、即ち、Secondary  CCのシステム情報、Secondary  CCの同期情報、Secondary  CCの物理下り制御情報及びSecondary  CCの下り応答情報である。
【０１０７】
LTE  TDDシステムがキャリアアグリゲーション技術をサポートし、そのうち、基地局は、端末のために、１個よりも多いCC(ComponentCarrier)を構成して通信を行うことができる。好ましくは、端末のために少なくとも２個のCCを構成し、そのうち、１個のPrimary  CC(Primary  Component  Carrier、Primary  Cellとも言う)及び少なくとも１個のSecondary  CC(Secondary  Component  Carrier、Secondary  Cellとも言う)を含み、サブフレームの構成0D:1S:9U及び0D:OS:10Uは、Secondary  CCのみで使用され得る。この時に、Primary  CC上では、表1に示す７種のサブフレームの構成のうちの１つのLTE  TDDキャリアを使用してもよく、動的サブフレームを構成しているLTE  TDDキャリアを使用してもよく、ひいては、LTE  FDDキャリアを使用してもよい。図7Cに示すように、端末のために１個のPrimary  CC及び１個のSecondary  CCを構成し、そのうちの１個の無線フレーム上では、Primary  CC上で使用するサブフレームの構成が6D:2S:2Uであり、Secondary  CC上で使用するサブフレームの構成が0D:OS:10Uである。好ましくは、１個のSecondary  CCの少なくとも１個の無線フレームがサブフレームの構成0D:1S:9U及び0D:OS:10Uを用いて端末と通信を行う時に、該Secondary  CCのシステム情報、同期情報、物理下り制御情報及び下り応答情報は、他のキャリア、例えばPrimary  CCに構成される。
【０１０８】
サブフレームの構成0D:1S:9U及び0D:OS:10UがSecondary  CC上のみで使用され得る原因は、次のようであり、即ち、従来のLTE  TDDシステム中で、サブフレーム0、サブフレーム1、サブフレーム5及びサブフレーム6は、物理層ブロードキャスト信号及び同期信号の伝送のために用いられ、物理層ブロードキャスト信号及び同期信号は、基地局により送信され、ユーザ装置が１個のセルにアクセスして時間周波数同期を得てシステムパラメータ構成情報を得るために用いられ、よって、サブフレーム0、サブフレーム1、サブフレーム5及びサブフレーム6は、常に、下りサブフレーム又は特殊サブフレームとされる。サブフレームの構成0D:1S:9U及び0D:OS:10Uについては、それは、下りサブフレームを有せず、また、0D:1S:9U中にも、下り信号を送信し得る特殊サブフレームが１個のみあり、そのため、ユーザ装置は、直接アクセスしてこの２個のサブフレームの構成のキャリアを用いてセルと通信を行うことが難しい。好ましくは、１個のSecondary  CCの少なくとも１個の無線フレームでサブフレームの構成OD:1S:9U又はOD:OS:10Uを用いて端末と通信を行う時に、Primary  CCで、該Secondary  CC上で伝送する物理上り共用チャネル(Physical  Uplink  Shared  Channel、PUSCH)にキャリー（Carry）の情報、PUSCHのリソース分配（割り当て）及び伝送フォーマットなどのスケジューリング情報ををキャリーする物理下り制御情報、及びPUSCH伝送に対応する下り応答情報を送信する。
【０１０９】
図8は、本発明の実施例による他の無線通信方法のフローチャートである。図8に示すように、本実施例による提供の方法は、次のステップを含む。
【０１１０】
ステップ81:端末が基地局により送信された第三無線フレーム構成情報を受信し、第三無線フレーム構成情報は、端末に、少なくとも１個の無線フレームを、n個の上りサブフレーム及びN-n個の動的サブフレームを含む第四無線フレームとして構成し、又は、ｎ-1個の上りサブフレーム、１個の特殊サブフレーム及びN-n個の動的サブフレームを含む第五無線フレームを構成するように通知し、Nは、１個の無線フレームが含むサブフレームの総数であり、ｎは、Nよりも小さい自然数である。
【０１１１】
ステップ82:端末が第三無線フレーム構成情報に基づいて、少なくとも１個の無線フレームを、n個の上りサブフレーム及びN-n個の動的サブフレームを含む第四無線フレームとして構成し、又は、ｎ-1個の上りサブフレーム、１個の特殊サブフレーム及びN-n個の動的サブフレームを含む第五無線フレームとして構成する。
【０１１２】
ステップ83:端末が基地局により送信された第二動的サブフレーム指示情報を受信し、第二動的サブフレーム指示情報は、端末に、第四無線フレーム上での各動的サブフレームの伝送方向を指示するために用いられ、これにより、少なくとも１個の第四無線フレームは、第三サブフレームの構成に符合する第六無線フレームとして構成され、又は、少なくとも１個の第四無線フレーム構成は、第四サブフレームの構成に符合する第七無線フレームとして構成され、或いは、第二動的サブフレーム指示情報は、端末に、第五無線フレーム上での各動的サブフレームの伝送方向を指示するために用いられ、これにより、少なくとも１個の第五無線フレームは、第四サブフレームの構成に符合する第七無線フレームとして構成され、そのうち、第三サブフレームの構成に符合する第六無線フレームは、ゼロ個の下りサブフレーム、ゼロ個の特殊サブフレーム及びN個の上りサブフレームを含み、第四サブフレームの構成に符合する第七無線フレームは、ゼロ個の下りサブフレーム、１個の特殊サブフレーム及びN-1個の上りサブフレームを含む。
【０１１３】
ステップ84:端末が第二動的サブフレーム指示情報に基づいて、少なくとも１個の前記第四無線フレームを、第三サブフレームの構成に符合する第六無線フレームとして構成し、又は、少なくとも１個の前記第四無線フレームを、第四サブフレームの構成に符合する第七無線フレームとして構成し、或いは、少なくとも１個の前記第五無線フレームを、第四サブフレームの構成に符合する第七無線フレームとして構成する。
【０１１４】
ステップ85:第六無線フレーム上で、端末が第三サブフレームの構成を採用して基地局と通信を行い、或いは、第七線フレーム上で、端末が第四サブフレームの構成を採用して基地局と通信を行う。
【０１１５】
例えば、第七無線フレーム上の特殊サブフレーム中のGP中のリソースにより、端末は、リスニング信号を送信し又はリスニング信号を受信する。リスニング信号送信時に、端末は、周囲の基地局にリスニング信号を送信してもよく、周囲の他の端末にリスニング信号を送信してもよく、リスニング信号受信時に、端末が受信するリスニング信号は、周囲の基地局が送信するものであってもよく、周囲の他の端末が送信するものであってもよい。
【０１１６】
さらに、キャリアアグリゲーションの時に、端末は、基地局が少なくとも１個のSecondary  CCについて送信する第三無線フレーム構成情報及び第二動的サブフレーム指示情報を受信する。その後、端末は、Secondary  CC上の第六無線フレームで、第三サブフレームの構成を採用して基地局と通信を行い、或いは、端末は、Secondary  CC上の第七無線フレームで、第四サブフレームの構成を採用して基地局と通信を行う。また、端末は、Secondary  CC以外の他のキャリア上で、基地局が送信した以下の情報の１個又は複数の任意の組み合わせを受信し、即ち、Secondary  CCのシステム情報、Secondary  CCの同期情報、Secondary  CCの物理下り制御情報、及びSecondary  CCの下り応答情報である。
【０１１７】
上述の各モジュールの機能は、図7A、図7B以及び図7Cに対応する実施例中の説明を参照することができるため、ここでは詳しい説明を省略する。
【０１１８】
図9は、本発明の実施例による他の基地局の構成を示す図である。図9に示すように、本実施例によるものは、送信モジュール91及び通信モジュール92を含む。
【０１１９】
送信モジュール91は、端末に、第三無線フレーム構成情報を送信するために用いられ、第三無線フレーム構成情報は、端末に、少なくとも１個の無線フレームをn個の上りサブフレーム及びN-n個の動的サブフレームを含む第四無線フレームとして構成し、又は、ｎ-1個の上りサブフレーム、１個の特殊サブフレーム及びN-n個の動的サブフレームを含む第五無線フレームとして構成するように通知し、Nは、１個の無線フレームが含むサブフレームの総数であり、nは、Nよりも小さい自然数である。
【０１２０】
送信モジュール91はさらに、端末に第二動的サブフレーム指示情報を送信するために用いられ、第二動的サブフレーム指示情報は、端末に、第四無線フレーム上の各動的サブフレームの伝送方向を指示するために用いられ、これにより、少なくとも１個の第四無線フレームは、第三サブフレームの構成に符合する第六無線フレームとして構成され、又は、少なくとも１個の第四無線フレームは、第四サブフレームの構成に符合する第七無線フレームとして構成され、或いは、第二動的サブフレーム指示情報は、端末に、第五無線フレーム上の各動的サブフレームの伝送方向を指示するために用いられ、これにより、少なくとも１個の第五無線フレームは、第四サブフレームの構成に符合する第七無線フレームとして構成され、そのうち、第三サブフレームの構成に符合する第六無線フレームは、ゼロ個の下りサブフレーム、ゼロ個の特殊サブフレーム及びN個の上りサブフレームを含み、第四サブフレームの構成に符合する第七無線フレームは、ゼロ個の下りサブフレーム、１個の特殊サブフレーム及びN-1個の上りサブフレームを含む。
【０１２１】
通信モジュール92は、第六無線フレーム上で、第三サブフレームの構成を採用して端末と通信を行い、或いは、第七線フレーム上で、第四サブフレームの構成を採用して端末と通信を行う。例えば、通信モジュール92は具体的に、第七無線フレーム上の特殊サブフレーム中のGP中のリソースにより、リスニング信号を送信し又はリスニング信号を受信する。
【０１２２】
さらに、キャリアアグリゲーションの時に、送信モジュール91は、具体的に、キャリアアグリゲーションの時に、少なくとも１個のSecondary  CCについて、端末に、第三無線フレーム構成情報及び第二動的サブフレーム指示情報を送信するために用いられる。通信モジュール92は具体的に、Secondary  CC上の第六無線フレームで、第三サブフレームの構成を採用して端末と通信を行い、又は、Secondary  CC上の第七無線フレームで、第四サブフレームの構成を採用して端末と通信を行う。また、送信モジュール91はさらに、具体的に、Secondary  CC以外の他のキャリア上で、端末に、以下の情報の１個又は複数の任意の組み合わせを送信し、即ち、Secondary  CCのシステム情報、Secondary  CCの同期情報、Secondary  CCの物理下り制御情報及びSecondary  CCの下り応答情報である。
【０１２３】
上述の各モジュールの機能は、図7A、図7B以及び図7Cに対応する実施例中の説明を参照することができるため、ここでは詳しい説明を省略する。
【０１２４】
図10は、本発明の実施例による他の端末の構成を示す図である。図10に示すように、本実施例による端末は、受信モジュール101及び通信モジュール102及び構成モジュール103を含む。
【０１２５】
受信モジュール101は、基地局が送信した第三無線フレーム構成情報を受信するために用いられ、第三無線フレーム構成情報は、端末に、少なくとも１個の無線フレームをn個の上りサブフレーム及びN-n個の動的サブフレームを含む第四無線フレームとして構成し、又は、ｎ-1個の上りサブフレーム、１個の特殊サブフレーム及びN-n個の動的サブフレームを含む第五無線フレームとして構成するように通知するために用いられ、Nは、１個の無線フレームが含むサブフレームの総数であり、ｎは、Nよりも小さい自然数である。
【０１２６】
構成モジュール103は、前記第三無線フレーム構成情報に基づいて、少なくとも１個の無線フレームを、n個の上りサブフレーム及びN-n個の動的サブフレームを含む第四無線フレームとして構成し、又は、ｎ-1個の上りサブフレーム、１個の特殊サブフレーム及びN-n個の動的サブフレームを第五無線フレームとして構成する。
【０１２７】
受信モジュール101はさらに、基地局が送信した第二動的サブフレーム指示情報を受信するために用いられ、第二動的サブフレーム指示情報は、端末に、第四無線フレーム上の各動的サブフレームの伝送方向を指示するために用いられ、これにより、少なくとも１個の第四無線フレームは、第三サブフレームの構成に符合する第六無線フレームとして構成され、又は、少なくとも１個の第四無線フレームは、第四サブフレームの構成に符合する第七無線フレームとして構成され、或いは、第二動的サブフレーム指示情報は、端末に、第五無線フレーム上の各動的サブフレームの伝送方向を指示するために用いられ、これにより、少なくとも１個の第五無線フレームは、第四サブフレームの構成に符合する第七無線フレームとして構成され、そのうち、第三サブフレームの構成に符合する第六無線フレームは、ゼロ個の下りサブフレーム、ゼロ個の特殊サブフレーム及びN個の上りサブフレームを含み、第四サブフレームの構成に符合する第七無線フレームは、ゼロ個の下りサブフレーム、１個の特殊サブフレーム及びN-1個の上りサブフレームを含む。
【０１２８】
構成モジュール103はさらに、前記第二動的サブフレーム指示情報に基づいて、少なくとも１個の前記第四無線フレームを、第三サブフレームの構成に符合する第六無線フレームとして構成し、又は、少なくとも１個の前記第四無線フレームを、第四サブフレームの構成に符合する第七無線フレームとして構成し、或いは、少なくとも１個の前記第五無線フレーム構成を、第四サブフレームの構成に符合する第七無線フレームとして構成する。
【０１２９】
通信モジュール102は、第六無線フレーム上で、第三サブフレームの構成を採用して基地局と通信を行い、或いは、第七線フレーム上で、第四サブフレームの構成を採用して基地局と通信を行うために用いられる。例えば、通信モジュール102は、具体的に、第七無線フレーム上の特殊サブフレーム中のGP中のリソースにより、リスニング信号を送信し又はリスニング信号を受信するために用いられる。
【０１３０】
さらに、キャリアアグリゲーションの場合、受信モジュール101は、具体的に、キャリアアグリゲーションの時に、基地局が少なくとも１個のSecondary  CCで送信した第三無線フレーム構成情報及び第二動的サブフレーム指示情報を受信するために用いられる。通信モジュール102は、具体的に、Secondary  CC上の第六無線フレームで、第三サブフレームの構成を採用して基地局と通信を行い、或いは、Secondary  CC上の第七無線フレームで、第四サブフレームの構成を採用して基地局と通信を行うために用いられる。また、受信モジュール101は更に具体的に、Secondary  CC以外の他のキャリア上で、基地局が送信した以下の情報の１個又は複数の任意の組み合わせを受信し、即ち、Secondary  CCのシステム情報、Secondary  CCの同期情報、Secondary  CCの物理下り制御情報及びSecondary  CCの下り応答情報である。
【０１３１】
上述の各モジュールの機能は、図7A、図7B以及び図7Cに対応する実施例中の説明を参照することができるため、ここでは詳しい説明を省略する。
【０１３２】
当業者が理解すべきは、上述の方法の実施例の全部又は一部のステップの実現は、プログラムが相関ハードウェアを指示することで完成することができ、このようなプログラムは、コンピュータ可読記憶媒体に記憶することができ、該プログラムを実行する時は、上述の方法の実施例のステップを含み、また、このような記憶媒体は、ROM、RAM、磁気Disk又は光Diskなどの各種のプログラムコードを記憶することができる媒体を含む。
【０１３３】
以上、本発明の好ましい実施形態を説明したが、本発明はこの実施形態に限定されず、本発明の趣旨を離脱しない限り、本発明に対するあらゆる変更は本発明の技術的範囲に属する。
【図１】
2015523785.tif 000013
【図２】
2015523785.tif 000014
【図３Ａ】
2015523785.tif 000015
【図３Ｂ】
2015523785.tif 000016
【図４】
2015523785.tif 000017
【図５】
2015523785.tif 000018
【図６】
2015523785.tif 000019
【図７Ａ】
2015523785.tif 000020
【図７Ｂ】
2015523785.tif 000021
【図７Ｃ】
2015523785.tif 000022
【図８】
2015523785.tif 000023
【図９】
2015523785.tif 000024
【図１０】
2015523785.tif 000025
【手続補正書】
【提出日】平成27年1月8日(2015.1.8)
【手続補正１】
【補正対象書類名】特許請求の範囲
【補正対象項目名】全文
【補正方法】変更
【補正の内容】
【特許請求の範囲】
【請求項１】
無線通信方法であって、
基地局が端末に構成通知情報を送信することであって、前記構成通知情報は、前記端末に、第一無線フレームを第一サブフレームの構成に符合させるように構成することを通知し、前記第一サブフレームの構成は、N-1個の下りサブフレーム及び１個の特殊サブフレームを含み、Nは、１個の無線フレームに含まれるサブフレームの総数であり、且つ、Nは、１個の1よりも大きい自然数である、こと；及び
前記第一無線フレーム上で、前記基地局が前記第一サブフレームの構成を採用して前記端末と通信を行うことを含む、方法。
【請求項２】
請求項１に記載の方法であって、
前記基地局が端末に構成通知情報を送信する前に、前記方法は更に、
前記方法がLTE  TDDシステムに用いられ且つN＝10である場合、前記基地局が前記端末に第二無線フレーム構成情報を送信することであって、前記第二無線フレーム構成情報は、前記端末に、第二無線フレームを第二サブフレームの構成に符合させるように構成することを通知し、前記第二サブフレームの構成は、N-2個の下りサブフレーム、１個の特殊サブフレーム及び１個の上りサブフレームを含み、そのうち、時間上では、前記第一無線フレーム中の特殊サブフレームと、第二無線フレーム中の上りサブフレームとが対応し、前記第一無線フレーム中の特殊サブフレームの前の下りサブフレームと、前記第二無線フレーム中の特殊サブフレームとが対応する、ことを含む、方法。
【請求項３】
請求項１又は２に記載の方法であって、
前記第一無線フレーム中の特殊サブフレームは、下りパイロットタイムスロットDwPTS、GP（Guard  Period）及び上りパイロットタイムスロットUpPTSを含み、そのうち、前記上りパイロットタイムスロットの長さは、前記特殊サブフレームの長さの半分であり、又は、前記第一無線フレーム中の特殊サブフレームのタイムスロットの少なくとも１つの構成は、表３に規定の特殊サブフレームのタイムスロットの長さに符合し、
【表３】
2015523785.tif 000026

表３中のDwPTSの長さ及びUpPTSの長さは、OFDMシンボル数により表され、GPの長さは、前記特殊サブフレームの長さから、前記DwPTSの長さと前記UpPTSの長さとの和を引いた長さである、方法。
【請求項４】
請求項２に記載の方法であって、更に、
前記端末が前記第二サブフレームの構成を採用する場合、前記基地局が、前記第一無線フレーム上の特殊サブフレーム中の上りパイロットタイムスロットにおいて、前記端末により送信された上り信号を受信することを含む、方法。
【請求項５】
請求項１〜４の任意の１項に記載の方法であって、
前記第一無線フレーム上で、前記基地局が前記第一サブフレームの構成を採用して前記端末と通信を行うことは、
前記第一無線フレーム上で、前記基地局が前記特殊サブフレーム中の上りパイロットタイムスロットによって、前記端末により送信された上り制御情報及び／又は上りデータを受信することであって、前記上り制御情報は、上り応答情報、スケジューリング要求及びチャネル状態情報のうちの少なくとも１種を含む、こと；及び/又は
前記第一無線フレーム上で、前記基地局が前記特殊サブフレーム中のGP中のリソースによって、前記端末にリスニング信号を送信し、又は、前記端末により送信されたリスニング信号を受信することを含む、方法。
【請求項６】
請求項５に記載の方法であって、
前記基地局が前記特殊サブフレーム中の上りパイロットタイムスロットによって、前記上り制御情報を受信するために使用するチャネルは、時間領域上で１個のOFDMOFDMシンボルを占用し、周波数領域上で１個又は複数のリソースブロックユニットを占用し、そのうち、前記１個又は複数のリソースブロックユニットのうちの各リソースブロックユニットは、１個の変調シンボルを伝送し、前記各リソースブロックユニットは、１個又は複数の連続のリソースブロックを含む、方法。
【請求項７】
請求項１〜６の任意の１項に記載の方法であって、
前記基地局が端末に構成通知情報を送信することは、
前記基地局が前記端末に第一無線フレーム構成情報を送信することであって、前記第一無線フレーム構成情報は、前記端末に、第三無線フレームをn個下りサブフレーム及びN-n個の動的サブフレームを含むように構成し、又は、ｎ-1個の下りサブフレーム、１個の特殊サブフレーム及びN-n個の動的サブフレームを含むように構成することを通知し、そのうち、ｎは、Nよりも小さい自然数である、こと；及び
前記基地局が前記端末に第一動的サブフレーム指示情報を送信することであって、前記第一動的サブフレーム指示情報は、前記端末に、前記第三無線フレーム上の各動的サブフレームの伝送方向を指示し、前記第三無線フレーム構成を前記第一サブフレームの構成に符合させるために用いられる、ことを含む、方法。
【請求項８】
無線通信方法であって、
端末が基地局により送信された構成通知情報を受信することであって、前記構成通知情報は、前記端末に、第一無線フレームを第一サブフレームの構成に符合させるように構成することを通知するために用いられ、前記第一サブフレームの構成は、N-1個の下りサブフレーム及び１個の特殊サブフレームを含み、Nは、１個の無線フレームに含まれるサブフレームの総数であり、且つ、Nは、１個の1よりも大きい自然数である、こと；
前記端末が前記構成通知情報に基づいて、前記第一無線フレームを前記第一サブフレームの構成に符合させるように構成すること；及び
前記第一無線フレーム上で、前記端末が前記第一サブフレームの構成を採用して前記基地局と通信を行うことを含む、方法。
【請求項９】
請求項８に記載の方法であって、
端末が基地局により送信された構成通知情報を受信する前に、前記方法は、更に、
前記方法がLTE  TDDシステムに用いられ且つN＝10である場合、前記端末が前記基地局により送信された第二無線フレーム構成情報を受信することであって、前記第二無線フレーム構成情報は、前記端末に、第二無線フレーム構成を第二サブフレームの構成に符合させるように構成することを通知し、前記第二サブフレームの構成は、N-2個の下りサブフレーム、１個の特殊サブフレーム及び１個の上りサブフレームを含み、そのうち、時間上では、前記第一無線フレーム中の特殊サブフレームと、第二無線フレーム中の上りサブフレームとが対応し、前記第一無線フレーム中の特殊サブフレームの前の下りサブフレームと、前記第二無線フレーム中の特殊サブフレームとが対応する、ことを含む、方法。
【請求項１０】
請求項８又は９に記載の方法であって、
前記第一無線フレーム中の特殊サブフレームは、下りパイロットタイムスロットDwPTS、GP及び上りパイロットタイムスロットUpPTSの３つの部分を含み、前記上りパイロットタイムスロットの長さは、前記特殊サブフレームの長さの半分であり、或いは、前記第一無線フレーム中の特殊サブフレームのタイムスロットの長さの少なくとも１つの構成は、表４に規定の特殊サブフレームのタイムスロット長さに符合し、
【表４】
2015523785.tif 000027
表４中のDwPTSの長さ及びUpPTSの長さは、OFDMシンボル数により表され、GPの長さは、前記特殊サブフレームの長さから、前記DwPTSの長さと、前記UpPTSの長さとの和を引いた長さである、方法。
【請求項１１】
請求項１０に記載の方法であって、更に、
前記端末が前記第二サブフレームの構成を採用する場合、前記端末は、前記第一無線フレーム上の特殊サブフレーム中のの上りパイロットタイムスロットにおいて、前記基地局に上り信号を送信することを更に含む、方法。
【請求項１２】
請求項８〜１１の任意の１項に記載の方法であって、
前記第一無線フレーム上で、前記端末が、前記第一サブフレームの構成を採用して前記基地局と通信を行うことは、
前記端末が前記第一無線フレーム上で、前記特殊サブフレーム中の上りパイロットタイムスロットによって、上り制御情報及び/又は上りデータを前記基地局に送信することであって、前記上り制御情報は、上り応答情報、スケジューリング要求及びチャネル状態情報のうちの少なくとも１種を含む、こと；及び／又は、
前記端末が前記第一無線フレーム上で、前記特殊サブフレーム中のGP中のリソースによって、リスニング信号を送信し又はリスニング信号を受信することを含む、方法。
【請求項１３】
請求項１２に記載の方法であって、
前記端末が前記特殊サブフレーム中の前記上りパイロットタイムスロットによって、前記上り制御情報を送信するために使用するチャネルは、時間領域上で１個のOFDMシンボルを占用し、周波数領域上で１個又は複数のリソースブロックユニットを占用し、そのうち、前記１個又は複数のリソースブロックユニットのうちの各リソースブロックユニットは、１個の変調シンボルを伝送し、前記各リソースブロックユニットは、１個又は複数の連続のリソースブロックを含む、方法。
【請求項１４】
請求項８〜１３の任意の１項に記載の方法であって、
端末が基地局により送信された構成通知情報を受信することは、
前記端末が前記基地局により送信された第一無線フレーム構成情報を受信することであって、前記第一無線フレーム構成情報は、前記端末に、第三無線フレーム構成をn個下りサブフレーム及びN-n個の動的サブフレームを含むように構成し、又は、ｎ-1個の下りサブフレーム、１個の特殊サブフレーム及びN-n個の動的サブフレームを含むように構成することを通知するために用いられ、そのうち、nは、Nよりも小さい自然数である、こと；及び
前記端末が前記基地局により送信された第一動的サブフレーム指示情報を受信することであって、前記第一動的サブフレーム指示情報は、前記端末に、前記第三無線フレーム上の各動的サブフレームの伝送方向を指示し、前記第三無線フレームを前記第一サブフレームの構成に符合させるために用いられる、ことを含む、方法。
【請求項１５】
基地局であって、
端末に構成通知情報を送信するための送信モジュールであって、前記構成通知情報は、前記端末に、第一無線フレームを第一サブフレームの構成に符合させるように構成することを通知するために用いられ、前記第一サブフレームの構成は、N-1個の下りサブフレーム及び１個の特殊サブフレームを含み、Nは、１個の無線フレームに含まれるサブフレームの総数であり、且つ、Nは、１個の1よりも大きい自然数である、送信モジュール；及び
前記第一無線フレーム上で、前記第一サブフレームの構成を採用して前記端末と通信を行うための通信モジュールを含む、基地局。
【請求項１６】
請求項１５に記載の基地局であって、
前記送信モジュールは更に、前記端末に前記構成通知情報を送信する前に、前記基地局がLTE  TDDシステムに用いられ且つN＝10である場合、前記端末に第二無線フレーム構成情報を送信するために用いられ、前記第二無線フレーム構成情報は、前記端末に、第二無線フレームを第二サブフレームの構成に符合させるように構成することを通知するために用いられ、前記第二サブフレームの構成は、N-2個の下りサブフレーム、１個の特殊サブフレーム及び１個の上りサブフレームを含み、そのうち、時間上では、前記第一無線フレーム中の特殊サブフレームと、第二無線フレーム中の上りサブフレームとが対応し、前記第一無線フレーム中の特殊サブフレームの前の下りサブフレームと、前記第二無線フレーム中の特殊サブフレームとが対応する、基地局。
【請求項１７】
請求項１５又は１６に記載の基地局であって、
前記通信モジュールにより使用される前記第一無線フレーム中の特殊サブフレームは、下りパイロットタイムスロットDwPTS、GP及び上りパイロットタイムスロットUpPTSを含み、前記上りパイロットタイムスロットの長さは、前記特殊サブフレームの長さの半分であり、又は、前記第一無線フレーム中の特殊サブフレームのタイムスロットの長さの少なくとも１つの構成は、表５に規定の特殊サブフレームのタイムスロットの長さに符合し、
【表５】
2015523785.tif 000028
表５中のDwPTSの長さ及びUpPTSの長さは、OFDMシンボル数により表され、GPの長さは、前記特殊サブフレームの長さから、前記DwPTSの長さと、前記UpPTSの長さとの和を引いた長さである、基地局。
【請求項１８】
請求項１７に記載の基地局であって、
前記通信モジュールは、具体的に、前記端末が前記第二サブフレームの構成を採用する場合、前記第一無線フレーム上の特殊サブフレーム中の上りパイロットタイムスロットにおいて、前記端末により送信された上り信号を受信するために用いられる、基地局。
【請求項１９】
請求項１５〜１８の任意の１項に記載の基地局であって、
前記通信モジュールは、具体的に、前記第一無線フレーム上で、前記特殊サブフレーム中の上りパイロットタイムスロットによって、前記端末が送信した上り制御情報及び/又は上りデータを受信するために用いられ、前記上り制御情報は、上り応答情報、スケジューリング要求及びチャネル状態情報のうちの少なくとも１種を含み、及び／又は
前記通信モジュールは、具体的に、前記第一無線フレーム上で、前記特殊サブフレーム中のGP中のリソースによって、リスニング信号を送信し又はリスニング信号を受信するために用いられる、基地局。
【請求項２０】
請求項１９に記載の基地局であって、
前記通信モジュールが前記特殊サブフレーム中の上りパイロットタイムスロットによって、前記上り制御情報を受信するために使用するチャネルは、時間領域上で１個のOFDMシンボルを占用し、周波数領域上で１個又は複数のリソースブロックユニットを占用し、そのうち、前記１個又は複数のリソースブロックユニットのうちの各リソースブロックユニットは、１個の変調シンボルを伝送し、前記各リソースブロックユニットは、１個又は複数の連続のリソースブロックを含む、基地局。
【請求項２１】
請求項１５〜２０の任意の１項に記載の基地局であって、
前記送信モジュールは、具体的に、前記端末に、第一無線フレーム構成情報を送信するために用いられ、前記第一無線フレーム構成情報は、前記端末に、第三無線フレームをn個の下りサブフレーム及びN-n個の動的サブフレームを含むように構成し、又は、ｎ-1個の下りサブフレーム、１個の特殊サブフレーム及びN-n個の動的サブフレームを含むように構成することを通知するために用いられ、そのうち、ｎは、Nよりも小さい自然数であり、
前記送信モジュールは更に、具体的に、前記端末に、第一動的サブフレーム指示情報を送信するために用いられ、前記第一動的サブフレーム指示情報は、前記端末に、前記第三無線フレーム上の各動的サブフレームの伝送方向を指示し、前記第三無線フレームを前記第一サブフレームの構成に符合する第一無線フレームとして構成させるために用いられる、基地局。
【請求項２２】
端末であて、
基地局が送信した構成通知情報を受信するための受信モジュールであって、前記構成通知情報は、前記端末に、第一無線フレームを第一サブフレームの構成に符合させるように構成することを通知するために用いられ、前記第一サブフレームの構成は、N-1個の下りサブフレーム及び１個の特殊サブフレームを含み、Nは、１個の無線フレームに含まれるサブフレームの総数であり、且つ、Nは、１個の1よりも大きい自然数である、受信モジュール；
前記受信モジュールが受信した前記構成通知情報に基づいて、前記第一無線フレームを第一サブフレームの構成に符合させるように構成するための構成モジュール；及び
前記第一無線フレーム上で、前記第一サブフレームの構成を採用して前記基地局と通信を行うための通信モジュールを含む、端末。
【請求項２３】
請求項２２に記載の端末であって、
前記受信モジュールは更に、具体的に、基地局が送信した構成通知情報を受信する前に、前記端末がLTE  TDDシステムに用いられ且つN＝10である場合、前記基地局が送信した第二無線フレーム構成情報を受信するために用いられ、前記第二無線フレーム構成情報は、前記端末に、第二無線フレームを第二サブフレームの構成に符合させるように構成することを通知するために用いられ、前記第二サブフレームの構成は、N-2個の下りサブフレーム、１個の特殊サブフレーム及び１個の上りサブフレームを含み、そのうち、時間上では、前記第一無線フレーム中の特殊サブフレームと、第二無線フレーム中の上りサブフレームとが対応し、前記第一無線フレーム中の特殊サブフレームの前の下りサブフレームと、前記第二無線フレーム中の特殊サブフレームとが対応する、端末。
【請求項２４】
請求項２２又は２３に記載の端末であって、
前記構成モジュールが構成する前記第一無線フレーム中の特殊サブフレームは、下りパイロットタイムスロットDwPTS、GP及び上りパイロットタイムスロットUpPTSの３つの部分を含み、前記上りパイロットタイムスロットの長さは、前記特殊サブフレームの長さの半分であり、又は、前記第一無線フレーム中の特殊サブフレームのタイムスロットの長さの少なくとも１つの構成は、表６に規定の特殊サブフレームのタイムスロットの長さに符合し、
【表６】
2015523785.tif 000029
表６中のDwPTSの長さ及びUpPTSの長さは、OFDMシンボル数により表され、GPの長さは、前記特殊サブフレームの長さから、前記DwPTSの長さと前記UpPTSとの長さの和を引いた長さである、端末。
【請求項２５】
請求項２４に記載の端末であって、
前記通信モジュールは更に、具体的に、前記端末が前記第二サブフレームの構成を採用する場合、前記第一無線フレーム上の特殊サブフレーム中の上りパイロットタイムスロットにおいて、前記基地局に上り信号を送信するために用いられる、端末。
【請求項２６】
請求項２２〜２５の任意の１項に記載の端末であって、
前記通信モジュールは、具体的に、前記第一無線フレーム上で、前記特殊サブフレーム中の上りパイロットタイムスロットによって、前記基地局に上り制御情報及び／又は上りデータを送信するために用いられ、前記上り制御情報は、上り応答情報、スケジューリング要求及びチャネル状態情報のうちの少なくとも１種を含み、及び／又は、
前記通信モジュールは、具体的に、前記第一無線フレーム上で、前記特殊サブフレーム中のGP中のリソースによって、リスニング信号を送信し又はリスニング信号を受信するために用いられる、端末。
【請求項２７】
請求項２６に記載の端末であって、
前記通信モジュールが前記特殊サブフレーム中の前記上りパイロットタイムスロットによって、上り制御情報を送信するために使用するチャネルは、時間領域上で１個のOFDMシンボルを占用し、周波数領域上で１個又は複数のリソースブロックユニットを占用し、そのうち、前記１個又は複数のリソースブロックユニットのうちの各リソースブロックユニットは、１個の変調シンボルを伝送し、前記各リソースブロックユニットは、１個又は複数の連続のリソースブロックを含む、端末。
【請求項２８】
請求項２２〜２７の任意の１項に記載の端末であって、
前記受信モジュールは、具体的に、前記基地局が送信した第一無線フレーム構成情報を受信するために用いられ、前記第一無線フレーム構成情報は、前記端末に、第三無線フレームをn個の下りサブフレーム及びN-n個の動的サブフレームを含むように構成し、又は、ｎ-1個の下りサブフレーム、１個の特殊サブフレーム及びN-n個の動的サブフレームを含むように構成することを通知するために用いられ、そのうち、ｎは、Nよりも小さい自然数であり、
前記受信モジュールは更に、具体的に、前記基地局が送信した第一動的サブフレーム指示情報を受信するために用いられ、前記第一動的サブフレーム指示情報は、前記端末に、前記第三無線フレーム上の各動的サブフレームの伝送方向を指示し、前記第三無線フレームを前記第一サブフレームの構成に符合させるために用いられる、端末。
【請求項２９】
コンピュータに、請求項１〜１４の任意の1項に記載の方法を実行させるためのプログラム。
【請求項３０】
請求項２９に記載のプログラムを記録したコンピュータ読み取り可能な記録媒体。
【国際調査報告】
2015523785.tif 000030
2015523785.tif 000031
2015523785.tif 000032
2015523785.tif 000033